(57)【要約】金融意思決定システムは、任意の取引可能商品市場に向けた買い圧力および売り圧力のリアルタイム計算を提供する。さらに、買い圧力および売り圧力のリアルタイム視覚型の同時プロットおよびチャ−トを提示する。さらに、本システムは、自動的に検出されたマ−ケットトレンド変化に基づいた売買指標および専門家説明を自動的に提示する。システムは、同時にマ−ケットトレンドおよび複数の表示期間の変化を自動的に解析して提案された売り買いなど取引行動の複数の確認事項をリアルタイムで特定する。本システムは、新規ユ−ザ−の成功の可能性を向上させる概念および使用方法を教示することに必要なトレ−ニング教材および方法にも対応する。【選択図】図６４
2010536104.tif 000002
【特許請求の範囲】
【請求項１】
少なくとも１つのマ−ケットデ−タ供給器に通信可能な形態で接続する計算システムであって、前記計算システムは、
ａ) 少なくとも１つのマ−ケットデ−タ供給器で処理を行う少なくとも１つのプロセッサ、
ｂ)少なくとも１人のユ−ザ−からの入力に反応して、少なくとも１つのマ−ケット指標を出力する前記の少なくとも１つのプロセッサに命令するための少なくとも一式の命令、
ｃ) 前記の少なくとも一式の命令を保存するための少なくとも１つの保存メモリ−、および
ｄ) 出力を表示する少なくとも１つのディスプレイを備え、
ｅ) 前記の少なくとも一式の命令が、少なくとも１つのプロセッサに命令する時、少なくとも１つのマ−ケットチャ−トおよび少なくとも１つの説明ウィンドウが、前記の少なくとも１つのディスプレイに表示されることを特徴とする計算システム。
【請求項２】
少なくとも１つの詳細なマ−ケットトレンド表示システムを有する前記の少なくとも１つの説明ウィンドウを特徴とする請求項１記載の計算システム。
【請求項３】
少なくとも１つの売りまたは買いの指標を有する前記の少なくとも１つの説明ウィンドウを特徴とする請求項２記載の計算システム。
【請求項４】
少なくとも１つの強気または弱気のバイアス指標を有する前記の少なくとも１つの説明ウィンドウを特徴とする請求項３記載の計算システム。
【請求項５】
少なくとも１つの短期マ−ケットトレンド指標を有する前記の少なくとも１つの説明ウィンドウを特徴とする請求項４記載の計算システム。
【請求項６】
タイムフレ−ム、状態、バ−の数、クロスでの終わりを含む少なくとも１つのマ−ケットデ−タの表を有する前記の少なくとも１つの説明ウィンドウを特徴とする請求項５記載の計算システム。
【請求項７】
少なくとも１つの予測マ−ケットトレンドの少なくとも１つの詳細な概要を有する前記の少なくとも１つの説明ウィンドウを特徴とする請求項１記載の計算システム。
【請求項８】
少なくとも２つのタイムフレ−ムおよびアライメントが形成されているかどうかの通知を有する少なくとも１つの予測マ−ケットトレンドの前記の少なくとも１つの詳細な概要を特徴とする請求項７記載の計算システム。
【請求項９】
少なくとも１つの適合または不適合の弱気または強気のクロスをさらに有する前記の少なくとも１つの詳細な概要を特徴とする請求項８記載の計算システム。
【請求項１０】
少なくとも１つのマ−ケットデ−タ供給器に通信可能な形態で接続する計算システムであって、前記計算システムは、
ａ) 少なくとも１つのマ−ケットデ−タ供給器で処理を行う少なくとも１つのプロセッサ、
ｂ)少なくとも１人のユ−ザ−からの入力に反応して、少なくとも１つのマ−ケット指標を出力する前記の少なくとも１つのプロセッサに命令するための少なくとも一式の命令、
ｃ) 前記の少なくとも一式の命令を保存するための少なくとも１つの保存メモリ−、および
ｄ) 出力を表示する少なくとも１つのディスプレイを備え、
ｅ) 前記の少なくとも一式の命令が、少なくとも１つのプロセッサに命令する時、少なくとも１つのマ−ケット指標が、前記の少なくとも１つのディスプレイに表示されることを特徴とする計算システム。
【請求項１１】
前記少なくとも１つのマ−ケット指標が少なくとも１つのピボットラインであることを特徴とする請求項１０記載の計算システム。
【請求項１２】
前記少なくとも１つのピボットラインが少なくとも１つのピボットポイントであること、および前記ピボットポイントが少なくとも１つのタイムフレ−ム中の少なくとも１つのピボットポイントの平均を使用して計算されることを特徴とする請求項１１記載の計算システム。
【請求項１３】
前記少なくとも１つのタイムフレ−ムは最低１つの時間間隔によって均等に分割されることを特徴とする請求項１２記載の計算システム。
【請求項１４】
前記の少なくとも１つの時間間隔が約５分であることを特徴とする請求項１３記載の計算システム。
【請求項１５】
前記の少なくとも一式の命令が前記の少なくとも１つのプロセッサに命令する時、少なくとも１つのピボットポイントを使用して、少なくとも１つの抵抗ポイント、および少なくとも１つの支持ポイントが計算されることを特徴とする請求項１４記載の計算システム。
【請求項１６】
前記の少なくとも１つの表示が複数の時間間隔のピボットラインの表示を有することを特徴とする請求項１３記載の計算システム。
【請求項１７】
前記の少なくとも１つの表示がピボットラインが交差する時に少なくとも１つの注意の表示を有することを特徴とする請求項１６記載の計算システム。
【請求項１８】
前記の少なくとも一式の命令が、前日の始値、高値、安値、および終値のプロットを有する少なくとも１つの「前日参照」指標を計算および表示することを特徴とする請求項１０記載の計算システム。
【請求項１９】
前記の少なくとも１つのマ−ケット指標が少なくとも１つの修正パラボリックストップアンドリバ−スのプロットを有し、前記の少なくとも１つの修正パラボリックストップアンドリバ−スのプロットのための前記の少なくとも１つのポイントが計算され、かかるストップアンドリバ−スの「ステップ」が取り引きされる市場取引手段に基づき選択されることを特徴とする請求項１０記載の計算システム。
【請求項２０】
少なくとも１つのマ−ケットチャ−トのほぼ最上部からそのチャ−トの最下部に延びる少なくとも１本の縦線を有する前記の少なくとも１つのマ−ケット指標と、買い指標または売り指標に延びる前記の少なくとも１本の縦線を特徴とする請求項１０記載の計算システム。
【請求項２１】
前記の少なくとも１つの表示と前記の少なくとも１つの指標を構成するための命令を与えるさ少なくとも１つのさらに一式の命令をさらに有する請求項１０記載の計算システム。
【請求項２２】
少なくとも１つのマ−ケットデ−タ供給器に通信可能な形態で接続する計算システムであって、前記計算システムは、
ａ) 少なくとも１つのマ−ケットデ−タ供給器で処理を行う少なくとも１つのプロセッサ、
ｂ)少なくとも１人のユ−ザ−からの入力に反応して、少なくとも１つのマ−ケット指標を出力する前記の少なくとも１つのプロセッサに命令するための少なくとも一式の命令、
ｃ) 前記の少なくとも一式の命令を保存するための少なくとも１つの保存メモリ−、および
ｄ) 出力を表示する少なくとも１つのディスプレイを備え、
ｅ) 前記の少なくとも一式の命令が、少なくとも１つのプロセッサに命令する時、セルを含む少なくとも１つのエクスポ−ト可能なファイルのエクスポ−トができ、ユ−ザ−がマ−ケット状況を視認できることを特徴とするけいさんシステム。
【請求項２３】
前記の少なくとも１つのエクスポ−ト可能なファイルがアライメントデ−タを表示するマ−ケット状況の少なくとも１つのデ−タ入力表を有することを特徴とする請求項２２記載の計算システム。
【請求項２４】
少なくとも１つのマ−ケットデ−タ供給器に通信可能な形態で接続する計算システムであって、前記計算システムは、
ａ) 少なくとも１つのマ−ケットデ−タ供給器で処理を行う少なくとも１つのプロセッサ、
ｂ)少なくとも１人のユ−ザ−からの入力に反応して、少なくとも１つのマ−ケット指標を出力する前記の少なくとも１つのプロセッサに命令するための少なくとも一式の命令、
ｃ) 前記の少なくとも一式の命令を保存するための少なくとも１つの保存メモリ−、および
ｄ) 出力を表示する少なくとも１つのディスプレイを備え、
ｅ) 前記の少なくとも一式の命令が、少なくとも１つのプロセッサに命令する時、
(１) 少なくとも１つの上のパラボリックＳＡＲの、少なくとも１つのタイムフレ−ムのために計算と計数、
(２) 少なくとも１つの下のパラボリックＳＡＲの、少なくとも１つのタイムフレ−ムのために計算と計数、および
(３) 少なくとも１つの上のパラボリックＳＡＲの、少なくとも１つの下のパラボリックＳＡＲとの比較
が起こり、
ｆ) 少なくとも１つの上のパラボリックＳＡＲと少なくとも１つの下のパラボリックＳＡＲの間の関係がマ−ケットトレンド予測を補助するために表示されることを特徴とする計算システム。
【発明の詳細な説明】
【技術分野】
【０００１】
本発明は、金融市場での売買に向けて改良形意思決定用システムを実現することに関するものである。さらに詳しくは、本発明は、プロットすることができるデ−タで、総称して市場取引手段という、株式、商品、インデックス、通貨、先物、取引所取引ファンド、ミュ−チュアルファンド、債券、金融市場デリバティブ、または、任意の金融商品に関するマ−ケットトレンドの変化の早期の確認の信頼性を向上させるシステムを実現することに関するものである。
【背景技術】
【０００２】
過去の市場統計およびチャ−トパタ−ンに基づいて株式の評価を行うテクニカル解析が、近年大流行になった。１９９０年代、多種多様なツ−ルを、デイトレ−ダ−および他のタイプのリテ−ルトレ−ダ−が利用できるようになった。要約すると、これらのツ−ルの目的は、上下を問わず市場方向の変化の可能な限り早期の識別を行うことである。これらの市場解析ツ−ルは、Ｊ. Ｗｅｌｌｅｓ Ｗｉｌｄｅｒの方向性指数（ＤＭＩ）、クリティカルパス法、リアルタイムスイングバ−法など、様々な統計的方法に基づくことが多い。これらの方法および他により、トレ−ダ−は豊富な情報を得ることができるが、これらの方法および他は、複雑になる傾向があり、場合によっては、表示および計算は完全にリアルタイムというわけではない。さらに、買い圧力および売り圧力などの市場実勢は、完全に評価されるわけでも、トレ−ダ−に意味ある形で表示されるわけでもない。
【０００３】
さらに、既存のツ−ルは、同時に複数の表示期間全体にわたってマ−ケットトレンドを自動的に評価するものではない。したがって、トレ−ダ−は方向の変化の指示または現在のトレンドの継続を確認するために、異なる表示期間を手作業で評価しなければならない。
したがって、複数の表示期間にわたってマ−ケットトレンドおよびトレンド変化の改良形の表示およびマ−ケットトレンドおよびトレンド変化の自動的な評価を行うシステムを提供することが非常に好ましい。リアルタイム市場解析ソフトウェアを使用するトレ−ダ−のために意思決定のトレ−ニングを行うことも、非常に好ましい。
【発明の概要】
【発明が解決しようとする課題】
【０００４】
本発明の主たる目的および特長は、任意の取り引き可能商品市場に向けた買い圧力および売り圧力のリアルタイム計算用システムを提供することである。
本発明のさらなる目的および特長は、買い圧力および売り圧力のリアルタイムのビジュアル同時表示に向けたこのようなシステムを提供することである。
【０００５】
別の本発明の目的および特長は、自動的に検出されたマ−ケットトレンド変化に基づいて売買指標および専門家説明の自動的なプレゼンテ−ションに向けたこのようなシステムを提供することである。
本発明のさらなる別の目的および特長は、好ましくは、売り買いなど提案された取引行動の複数の確認事項をリアルタイムで特定するために、マ−ケットトレンドの自動解析および複数の表示期間のマ−ケット変化に向けてトレ−ダ−がより良好な実際の取引意思決定を行うトレ−ニングシステムを含むようなシステムを提供することである。
さらなる主たる本発明の目的および特長は、効率的な安価で便利なこのようなシステムを提供することである。本発明の他の目的および特長は、以下の説明を参照すれば明らかになるであろう。
注意すべき点として、種々の画面、トレ−ニングチャ−トなどを示す図内の原本では、好ましくは、視覚化および学習の速度および精度を大いに助ける色を明確に使用するとともに、すべての優先権文書を含む図内の原本は特定の色となっている。出願人は、この本出願においては当該のカラ−スクリ−ン写真および図を白黒の画像に変換した。出願人が明細書において語句および参照番号、当該の色の場所および使用を指摘しようとしたが、注意点として、当該の元の色によるアメリカ合衆国の対応する優先権出願は、一般閲覧および明細書支援に向けて利用可能である。
【０００６】
本発明の好ましい実施形態によれば、本発明は、少なくとも１つのマ−ケットデ−タ供給器と通信可能な形態で接続した計算システムであって、このような少なくとも１つのマ−ケットデ−タ供給器を処理する少なくとも１つのプロセッサと、ユ−ザ−入力に応答した、このような少なくとも１つのプロセッサに少なくとも１つのマ−ケット指標を出力するように指示する少なくとも一式の命令と、このような少なくとも一式の命令を格納する少なくとも１つの記憶装置と、このような出力を表示する少なくとも１つのディスプレイとを含み、このような少なくとも一式の命令がこのような少なくとも１つのプロセッサに命令するとき、少なくとも１つのマ−ケットチャ−トおよび少なくとも１つの説明ウィンドウがこのような少なくとも１つのディスプレイ上に表示されることとする計算システムを提供する。さらに、このような少なくとも１つの説明ウィンドウが少なくとも１つの簡潔なマ−ケットトレンド表示システムを含むこのような計算システムを供給する。さらに、このような少なくとも１つの説明ウィンドウが少なくとも１つの売買指標を含むこのような計算システムを提供する。このような少なくとも１つの説明ウィンドウが少なくとも１つの上げまたは下げのバイアス指標を含むことを特徴とするこのような計算システムを提供する。さらに、このような少なくとも１つの説明ウィンドウが少なくとも１つの短期マ−ケットトレンド指標を含むことを特徴とするこのような計算システムを提供する。
【０００７】
このような少なくとも１つの説明ウィンドウが表示されている時、状態、多くのバ−およびクロスでの終値を含む市場デ−タの少なくとも１つのテ−ブルを含むことを特徴とするこのような計算システムを提供する。さらに、このような少なくとも１つの説明ウィンドウが少なくとも１つの予測マ−ケットトレンドの少なくとも１つの簡潔な要約を含むことを特徴とするこのような計算システムを提供する。さらに、少なくとも１つの予測マ−ケットトレンドのこのような少なくとも１つの簡潔な要約は、アラインメントが形成かどうかに関して少なくとも２つの表示期間および注意事項を含むことを特徴とするこのような計算システムを提供する。さらに、このような少なくとも１つの簡潔な要約が弱気または強気のクロスの少なくとも１つの確認または非確認指示をさらに含むことを特徴とするこのような計算システムを提供する。
【０００８】
別の好ましい実施形態によれば、本発明は、少なくとも１つのマ−ケットデ−タ供給器と通信可能な形態で接続した計算システムであって、このような少なくとも１つのマ−ケットデ−タ供給器を処理する少なくとも１つのプロセッサと、ユ−ザ−入力に応答した、このような少なくとも１つのプロセッサに少なくとも１つのマ−ケット指標を出力するように指示する少なくとも一式の命令と、このような少なくとも一式の命令を格納する少なくとも１つの記憶装置と、このような出力を表示する少なくとも１つのディスプレイとを含み、このような少なくとも一式の命令がこのような少なくとも１つのプロセッサに命令するとき、少なくとも１つのマ−ケット指標は、このような少なくとも１つのディスプレイ上で表示されることを特徴とする計算システムを提供する。さらに、このような少なくとも１つのマ−ケット指標が少なくとも１つのピボットラインであることを特徴とするこのような計算システムを提供する。また、このような少なくとも１つのピボットラインがプロットの少なくとも１つのプロットであり、このようなピボットポイントが少なくとも１つの表示期間内の少なくとも１つのピボットポイントの平均値を用いて計算されることを特徴とするこのような計算システムを提供する。さらに、このような少なくとも１つの表示期間が、少なくとも１つの時間間隔により均一に分割可能であることを特徴とするこのような計算システムを提供する。このような少なくとも１つの時間間隔が約５分であることを特徴とするこのような計算システムを提供する。さらに、このような少なくとも一式の命令がこのような少なくとも１つのプロセッサに命令するとき、少なくとも１つの抵抗ポイントおよび少なくとも１つの支持ポイントが、少なくとも１つのピボットポイントを用いて計算されることを特徴とするこのような計算システムを提供する。さらに、このような少なくとも１つのディスプレイが複数の時間間隔のピボットラインの表示を含むことを特徴とするこのような計算システムを提供する。さらに、このような少なくとも１つのディスプレイがピボットラインが交差するときに少なくとも１つの注意の表示を含むことを特徴とするこのような計算システムを提供する。さらに、このような少なくとも一式の命令が少なくとも１つの「前日確認」前日の始値、高値、安値、および終値の表示を含む指標を計算および表示することを特徴とするこのような計算システムを提供する。
【０００９】
また、このような少なくとも１つのマ−ケット指標は、修正パラボリックストップアンドリバ−スの少なくとも１つのプロットを含み、修正パラボリックストップアンドリバ−スのこのような少なくとも１つのプロットのための少なくとも１つの地点が計算され、このようなストップアンドリバ−スの「ステップ」が、取引されている市場取引手段に基づいて選択されることを特徴とするこのような計算システムを提供する。さらに、このような少なくとも１つのマ−ケット指標が、少なくとも１つのマ−ケットチャ−トのほぼ最上部からこのようなチャ−トの下部まで延在する少なくとも１本の縦線を含み、このような少なくとも１本の縦線が、買い指標または売り指標にて引かれることを特徴とするこのような計算システムを提供する。このような少なくとも表示およびこのような少なくとも１つの指標を構成する命令となる少なくとも１つのさらなる一式の命令をさらに含むことを特徴とするこのような計算システムを提供する。
【００１０】
もう１つの好ましい実施形態によれば、本発明は、少なくとも１つのマ−ケットデ−タ供給器と通信上結合された計算システムであって、このような少なくとも１つのマ−ケットデ−タ供給器を処理する少なくとも１つのプロセッサと、ユ−ザ−入力に応答した、このような少なくとも１つのプロセッサに少なくとも１つのマ−ケット指標を出力するように指示する少なくとも一式の命令と、このような少なくとも一式の命令を格納する少なくとも１つの記憶装置と、このような出力を表示する少なくとも１つのディスプレイとを含み、このような少なくとも一式の命令がこのような少なくとも１つのプロセッサに命令するとき、セルを含む少なくとも１つのエクスポ−ト可能なファイルのエクスポ−トができ、ユ−ザ−がマ−ケット状況を視認できることを特徴とする計算システムを提供する。さらに、このような少なくとも１つのエクスポ−ト可能なファイルがアライメントデ−タを表示するマ−ケット状況の少なくとも１つのデ−タ入力表を有することを特徴とするこのような計算システムを提供する。
【００１１】
別の好ましい実施形態によれば、本発明は、少なくとも１つのマ−ケットデ−タ供給器と通信可能な形態で接続した計算システムであって、このような少なくとも１つのマ−ケットデ−タ供給器を処理する少なくとも１つのプロセッサと、ユ−ザ−入力に応答した、このような少なくとも１つのプロセッサに少なくとも１つのマ−ケット指標を出力するように指示する少なくとも一式の命令と、このような少なくとも一式の命令を格納する少なくとも１つの記憶装置と、このような出力を表示する少なくとも１つのディスプレイとを含み、このような少なくとも一式の命令がこのような少なくとも１つのプロセッサに命令するとき、少なくとも１つの上部パラボリックＳＡＲが、少なくとも１つの表示期間について計算かつ計数され、少なくとも１つの下部パラボリックＳＡＲが、少なくとも１つの表示期間について計算かつ計数され、少なくとも１つの上部パラボリックＳＡＲが、少なくとも１つの下部パラボリックＳＡＲと比較され、少なくとも１つの上部パラボリックＳＡＲと少なくとも１つの下部パラボリックＳＡＲの関係が、マ−ケットトレンド予測を支援するために表示されることを特徴とする計算システムを提供する。
【図面の簡単な説明】
【００１２】
【図１】本発明の好ましい実施形態による、Ｖ−ＴＷＯ指標表示概念の例示を示す図である。
【図２】本発明の好ましい実施形態による、Ｖ１およびＶ２の値の例示を伴うＦ−ＴＷＯ指標表示の例を示す図である。
【図３】本発明の好ましい実施形態による、従来のロ−ソクチャ−トに関連したＦ−ＴＷＯ指標表示の使用の例を示す図である。
【図４】本発明の好ましい実施形態による、異なる状況でのＶ１およびＶ２の特性の例示を示す図である。
【図５】本発明の好ましい実施形態による、新規クロスでの下げ波への上げ波の転換時のＶ１とＶ２の関係を示す図である。
【図６】本発明の好ましい実施形態による、新規クロスでの下げ波への上げ波の転換時のＶ１とＶ２の関係を示す図である。
【図７】本発明の好ましい実施形態による、新規クロスでの上げ波への下げ波の転換で、Ｖ１とＶ２の関係を示す図である。
【図８】本発明の好ましい実施形態による、新規クロスでの上げ波への下げ波の転換で、Ｖ１とＶ２の関係を示す図である。
【図９】本発明の好ましい実施形態による、Ｖ１、Ｖ２、Ｖ３およびＶ４の値の例示を伴うＶ−ＦＯＵＲ指標表示の例を示す図である。
【図１０】本発明の好ましい実施形態による、Ｖ１、Ｖ２、Ｖ３およびＶ４の値の例示を伴うＶ−ＦＯＵＲ指標表示の例を示す図である。
【図１１】本発明の好ましい実施形態による、新規クロスでの上げ波への下げ波の転換時のＶ３とＶ４の関係を示す図である。
【図１２】本発明の好ましい実施形態による、新規クロスでの上げ波への下げ波の転換時のＶ３とＶ４の関係を示す図である。
【図１３】本発明の好ましい実施形態による、新規クロスでの上げ波への下げ波の転換時のＶ３とＶ４の関係を示す図である。
【図１４】本発明の好ましい実施形態による、新規クロスでの下げ波への上げ波の転換前のＶ３とＶ４の関係を示す図である。
【図１５】本発明の好ましい実施形態による、Ｖ１、Ｖ２、Ｖ３およびＶ４およびボラティリティの基準を示す表である。
【図１６】本発明の好ましい実施形態による、割り込み技法の使用を示すディスプレイの図である。
【図１７Ａ】本発明の好ましい実施形態による、従来のロ−ソクチャ−ト上でのＶ−ＦＯＵＲ指標から生成されるシンボルの使用を示すディスプレイの図である。
【図１７Ｂ】本発明の好ましい実施形態による、新規クロスからのアラインメントおよび位置の履歴という概念を示す表を示す図である。
【図１８】本発明の好ましい実施形態による、従来のロ−ソクチャ−ト上でのＶ−ＦＯＵＲ指標およびアライメント区域の表示を示すディスプレイの図である。
【図１９】本発明の好ましい実施形態による、弱気のアライメントの複数の初期シグナルおよび関係がある専門家説明を伴う、従来のロ−ソクチャ−ト上でのＶ−ＦＯＵＲ指標およびアライメント区域の表示を示すディスプレイの図である。
【図２０Ａ】本発明の好ましい実施形態による、強気のアライメントの複数の初期シグナルおよび関係がある専門家説明を伴う、従来のロ−ソクチャ−ト上でのＶ−ＦＯＵＲ指標およびアライメント区域の表示を示すディスプレイの図である。
【図２０Ｂ】本発明の好ましい実施形態による、多くの表示期間に関するクロスおよび関係がある専門家説明を伴う、従来のロ−ソクチャ−ト上でのＶ−ＦＯＵＲ指標およびアライメント区域のディスプレイの図である。
【図２１】本発明の好ましい実施形態による、従来のロ−ソクチャ−トに適用されるマルチプルタイムフレ−ムアライメントおよび関連した記号を示すディスプレイの図である。
【図２２】本発明の好ましい実施形態による、従来のバ−チャ−トに適用されるマルチプルタイムフレ−ムアライメントおよび関連した記号を示すディスプレイの図である。
【図２３】本発明の好ましい実施形態による、従来のバ−チャ−トに適用されるマルチプルタイムフレ−ムアライメントおよび関連した記号を示すディスプレイの図である。
【図２４】本発明の好ましい実施形態による、複数の表示期間アライメントおよび生成された専門家説明を示すディスプレイの図である。
【図２５】本発明の好ましい実施形態による、売りシグナルおよびアライメントの独自の選択を示すディスプレイを示す図である。
【図２６Ａ】本発明の好ましい実施形態による、買いシグナルおよびアライメントの独自の選択を示すディスプレイを示す図である。
【図２６Ｂ】本発明の好ましい実施形態による、選択された表示期間での通貨対について生成されたシンボルのマ−ケット要約プレゼンテ−ションを示すディスプレイの図である。
【図２７】本発明の好ましい実施形態による、Ｖ１およびＶ２プロット線に対するＶ３およびＶ４点の理論を示すディスプレイの図である。
【図２８】本発明の好ましい実施形態による、Ｖ１およびＶ２プロット線に対するＶ３およびＶ４点の理論および他のアプリケ−ションとの使用を示すディスプレイの図である。
【図２９】本発明の好ましい実施形態による、Ｖ−ＴＷＯプロットに関連したゴ−ルデンバ−の理論を示すディスプレイの図である。
【図３０】本発明の好ましい実施形態による、Ｖ−ＴＷＯプロットに関連したゴ−ルデンバ−の理論を示すディスプレイの図である。
【図３１】本発明の好ましい実施形態による、Ｖ−ＴＷＯ指標に関連したゴ−ルデンバ−の理論を用いて得られた指標を示すディスプレイの図である。
【図３２Ａ】本発明の好ましい実施形態による、Ｖ−ＴＷＯ指標に関連したゴ−ルデンバ−の理論を用いて得られた指標を示すディスプレイの図である。
【図３２Ｂ】本発明の好ましい実施形態による、Ｖ−ＴＷＯ指標に関連したパワ−スイングバ−指標の使用を示すディスプレイの図である。
【図３２Ｃ】本発明の好ましい実施形態による、Ｖ−ＦＯＵＲ指標に関連したピボット理論指標の使用を示すディスプレイの図である。
【図３３】本発明の好ましい実施形態による、Ｖ−ＦＯＵＲ指標に関連したピボット理論指標の使用を示すディスプレイの図である。
【図３４】本発明の好ましい実施形態による、選択された通貨対に関するＦＸボラティリティ理論を示す図表の図である。
【図３５】本発明の好ましい実施形態による、ＦＸボラティリティ理論を示すディスプレイを示す図である。
【図３６】本発明の好ましい実施形態による、Ｖ−ＦＯＵＲ指標に関連したＦＸボラティリティ理論を示すディスプレイの図である。
【図３７】本発明の好ましい実施形態による、Ｖ−ＴＷＯ指標に関連したＦＸボラティリティ理論を示すディスプレイの図である。
【図３８】本発明の好ましい実施形態による、デイトレ−ダ−ヘブンまたはＦＸボラティリティ理論を示すディスプレイを示す図である。
【図３９】本発明の好ましい実施形態による、３つの異なる表示期間表示を伴う、デイトレ−ダ−ヘブンまたはＦＸオ−ルタ−ゲット理論を示すディスプレイの図である。
【図４０】本発明の好ましい実施形態による、３つの連続的アライメントに関して生成された専門家説明を示す表の図である。
【図４１】本発明の好ましい実施形態による、同時に提示された複数の図表の例を示す図である。
【図４２】本発明の好ましい実施形態による、ロ−ソクチャ−ト上でのゴ−ルデンバ−と青緑バ−の使用の例を示す図である。
【図４３】本発明の好ましい実施形態による、トレ−ダ−トレ−ニング用初期プレゼンテ−ション画面の例を示す図である。
【図４４】本発明の好ましい実施形態による、ＭｅｔａＳtｏｃk（登録商標）などの図表作成システム内で好ましいコンピュ−タリアルタイム解析システムを開始する初期セットアップ画面の例を示す図である。
【図４５】本発明の好ましい実施形態による、ＭｅｔａＳtｏｃk（登録商標）などの図表作成システム内で好ましいコンピュ−タリアルタイム解析システムと共に使用される、市場を選択するセットアップ画面の例を示す図である。
【図４６】本発明の好ましい実施形態による、ＭｅｔａＳtｏｃk（登録商標）などの図表作成システム内で好ましいコンピュ−タリアルタイム解析システムによる解析に向けて通貨対を選択するセットアップ画面の例を示す図である。
【図４７】本発明の好ましい実施形態による好ましいコンピュ−タリアルタイム解析システムにより提示されたＦＸ指標、従来のロ−ソクチャ−トおよびボラティリティ指標を提示する解析画面の例を示す図である。
【図４８】本発明の好ましい実施形態による好ましいコンピュ−タリアルタイム解析システムにより提示されたＦＸ指標、従来のロ−ソクチャ−トおよびボラティリティ指標を使用したときにマ−ケット変化指標を実証する第１の分析画面の例を示す図である。
【図４９】本発明の好ましい実施形態による好ましいコンピュ−タリアルタイム解析システムにより提示されたＦＸ指標、従来のロ−ソクチャ−トおよびボラティリティ指標を使用したときにマ−ケット変化指標を実証する第２の解析画面の例を示す図である。
【図５０】本発明の好ましい実施形態による好ましいコンピュ−タリアルタイム解析システムにより提示されたＦＸ指標、従来のロ−ソクチャ−トおよびボラティリティ指標を使用したときにマ−ケット変化指標を実証する第３の解析画面の例を示す図である。
【図５１】本発明の好ましい実施形態による好ましいコンピュ−タリアルタイム解析システムにより提示された従来のロ−ソクチャ−ト上に重畳されたＦ−ＴＷＯ指標と、アライメントと、説明を使用したときにマ−ケット変化指標を実証する解析画面の例を示す図である。
【図５２】本発明の好ましい実施形態による好ましいコンピュ−タリアルタイム解析システムにより提示されたＦＸ指標、ゴ−ルデンバ−を有する従来のロ−ソクチャ−トおよびボラティリティ指標を使用したときにマ−ケット変化指標を実証する解析画面の例を示す図である。
【図５３】本発明の好ましい実施形態による好ましいコンピュ−タリアルタイム解析システムにより提示されたＦＸ指標、ゴ−ルデンバ−を有する従来のロ−ソクチャ−トおよびボラティリティ指標を使用したときにマ−ケット変化指標を実証する解析画面の拡大図の例を示す図である。
【図５４】本発明の好ましい実施形態による好ましいコンピュ−タリアルタイム解析システムにより提示されたゴ−ルデンバ−を有する従来のロ−ソクチャ−トを使用したときにマ−ケット変化指標を実証する解析画面の例を示す図である。
【図５５】本発明の好ましい実施形態による好ましいコンピュ−タリアルタイム解析システムにより提示されたＦＸ指標バ−を使用したときにマ−ケット変化指標を実証する解析画面の拡大図の例を示す図である。
【図５６】本発明の好ましい実施形態による好ましいコンピュ−タリアルタイム解析システムにより提示されたボラティリティ指標を使用したときにマ−ケット変化指標を実証する解析画面の拡大図の例を示す図である。
【図５７】本発明の好ましい実施形態による好ましいコンピュ−タリアルタイム解析システムにより提示された従来のロ−ソクチャ−ト上に重畳されたＦ−ＴＷＯ指標を使用したときにマ−ケット変化指標を実証する解析画面の拡大図の例を示す図である。
【図５８】本発明の好ましい実施形態による好ましいコンピュ−タリアルタイム解析システムにより提示されたゴ−ルデンバ−を有する従来のロ−ソクチャ−ト上に重畳されたＦ−ＴＷＯ指標を使用したときにマ−ケット変化指標を実証する解析画面の例を示す図である。
【図５９】本発明の好ましい実施形態による好ましいコンピュ−タリアルタイム解析システムにより提示されたゴ−ルデンバ−を有する従来のロ−ソクチャ−ト上に重畳された日別ピボット指標およびＦ−ＴＷＯ指標を使用したときにマ−ケット変化指標を実証する解析画面の例を示す図である。
【図６０】本発明の好ましい実施形態による好ましいコンピュ−タリアルタイム解析システムにより提示されたゴ−ルデンバ−を有する従来のロ−ソクチャ−ト上に重畳された６０分ピボット指標およびＦ−ＴＷＯ指標を使用したときにマ−ケット変化指標を実証する解析画面の例を示す図である。
【図６１】本発明の好ましい実施形態による好ましいコンピュ−タリアルタイム解析システムにより提示された、売り決断を提案する、ＦＸ指標、従来のロ−ソクチャ−トおよびボラティリティ指標を使用したときにマ−ケット変化を実証する第４の解析画面の例を示す図である。
【図６２】本発明の好ましい実施形態による好ましいコンピュ−タリアルタイム解析システムにより提示された、売り決断を提案する、ＦＸ指標、従来のロ−ソクチャ−トおよびボラティリティ指標を使用したときにマ−ケット変化を実証する第５の解析画面の例を示す図である。
【図６３】本発明の好ましい実施形態による好ましいコンピュ−タリアルタイム解析システムにより提示された、ＦＸ指標、従来のロ−ソクチャ−トおよびボラティリティ指標およびデイトレ−ダ−ヘブン指標を使用したときにマ−ケット変化を実証するＦＸオ−ル第タ−ゲット解析画面の例を示す図である。
【図６４】本発明の好ましい実施形態による金融意思決定システム構成部品の全体的な構成を示す概略図である。
【図６５】図６４に示す金融分析ソフトウェアについてプラグインにより実現される諸機能を示す概略図である。
【図６６】本発明の別の好ましい実施形態による金融意思決定システムの専門家説明ウィンドウを示す画面写真である。
【図６７Ａ】本発明の好ましい実施形態によるピボットポイントプロットを示す画面写真である。
【図６７Ｂ】本発明の好ましい実施形態によるピボットポイントプロットを示す画面写真である。
【図６７Ｃ】本発明の好ましい実施形態によるピボットポイントプロットを示す画面写真である。
【図６８】本発明の好ましい実施形態によるピボット点を計算する好ましい計算方法を示す表の図である。
【図６９】本発明の好ましい実施形態による、異なる表示期間のピボットポイントプロット間の相互作用を示すプロットの一部の図である。
【図７０】本発明の好ましい実施形態による、異なる表示期間のピボットポイントプロット間の相互作用を示し、このような相互作用の「ステップ」特長をさらに示すプロットの一部の図である。
【図７１】本発明の好ましい実施形態による、ピボットポイントプロット間の相互作用およびもう１つの指標を示し、このような相互作用の「乗換駅」特長をさらに示すプロットの各部を示す図である。
【図７２】本発明の好ましい実施形態によるＳＡＲカウント概念を示す画面写真である。
【図７３】本発明の好ましい実施形態によるＳＡＲカウント概念を示す画面写真である。
【図７４】本発明の好ましい実施形態によるＳＡＲカウント概念を示す画面写真である。
【図７５】本発明の好ましい実施形態によるＳＡＲカウント概念を示す画面写真である。
【図７６】本発明の好ましい実施形態による縦線指標を示す画面写真である。
【図７７】本発明の好ましい実施形態による縦線指標を示す画面写真である。
【図７８】本発明の好ましい実施形態による縦線指標を示す画面写真である。
【図７９】本発明の好ましい実施形態による、超長期取引概念を示す画面写真である。
【図８０】本発明の好ましい実施形態による、超長期取引概念を示す画面写真である。
【図８１Ａ】本発明の好ましい実施形態による、アライメント表を示す画面写真である。
【図８１Ｂ】本発明の好ましい実施形態による、アライメント表を示す画面写真である。
【図８１Ｃ】本発明の好ましい実施形態による、アライメント表を示す画面写真である。
【図８２】本発明の好ましい実施形態による、前日確認指標を示す画面写真である。
【図８３】本発明の好ましい実施形態による、前日確認指標を示す画面写真である。
【図８４】本発明の好ましい実施形態による、前日確認指標を示す画面写真である。
【図８５】本発明の好ましい実施形態による、前日確認指標を示す画面写真である。
【発明を実施するための形態】
【００１３】
マルチプルタイムフレ−ムアライメントの概念
グラフにデ−タを記すことができるような、株式、商品、インデクス、通貨、先物、取引所取引ファンド、ミュ−チュアルファンド、金融市場デリバティブ、またはその他の金融商品（まとめて、取引商品または市場取引と呼ぶ）において、価格変動および価格変化は、強気または弱気の動向として示されうる外部の動向と同様に内部の（組み込まれた）動きを形成する。
【００１４】
動向は、様々なタイムフレ−ムにおいて、処理（１回の取り引き）から、１分や分単位で示す時間（例えば、５分、６０分、４００分、日、週、年など）まで評価される。様々なタイムフレ−ムのそれぞれに対する動向の始値、終値、高値、安値の評価は、評価する各タイムフレ−ムについて一連の動向を示す線または波を形成する。各波は、価格が低下していく弱気の動向、または価格が上昇していく強気の動向を示す。マルチプルタイムフレ−ムにおける波、すなわち、強気（買い圧力）のいくつかまたはすべて、または弱気（売り圧力）のいくつかまたはすべての動向が一致すると、買い、または売りの機会と認識される。好ましくは、転換点（買い圧力と売り圧力との間の関係の逆）で発生する一致（以後、「アライメント」と呼ぶ）は、顕著な買いまたは売りの機会を示す（少なくとも１つの前のタイムフレ−ムの「強弱関係」第二決定との比較をした第一決定からの実施、第一決定と第二決定との間の「強弱関係」の何らかの逆転の明確化、１人のトレ−ダ−に何らかの逆転を通知する少なくともでも本発明での実施、および、かかる通知が１人のトレ−ダ−が下す決断を支援のために使用される通知における少なくとも本発明における実施）。転換点（以後「新交差」と呼ぶ）は、市場取引における始値、終値、高値、安値の弱気または強気のいずれかの優勢な動向が逆転となる所の点である。
【００１５】
本発明の好ましい実施形態によると、アライメントは、新しい組み込まれた動向、または外部動向の開始における完全な反転の複数の確認として示される。好ましくは、アライメントは、１分から１年、またはそれらの間の期間の分数の複数のタイムフレ−ムについての強気または弱気のいずれかまたはすべてについて、実施できる。さらに好ましくは、グル−プ分けにより、アライメントにおいて、タイムフレ−ムについて短いものから長いものまでの数と動向が示される。アライメントでタイムフレ−ムの異なる波が多ければ、動向が顕著であって、上げ波に伴う買い圧力として、および下げ波に伴う売り圧力として理解される。さらに好ましくは、アライメントでタイムフレ−ムの数が増加すると、より強い動向、すなわちより圧力が強いか波が強いことを示す。アライメントでのタイムフレ−ムの数が減少すると、より弱い動向、すなわち圧力が弱いことを示す。さらに好ましくは、アライメントでのタイムフレ−ムが長いと、アライメントでのタイムフレ−ムが短い場合よりも、動向の方向が真である可能性が高いことを示す。ただし、いくつかのこのようなアライメントの順序を検討することで、好ましくは、強気または弱気の小さな波から大きな波への動きを示すことができる。
【００１６】
３つ以上の連続するアライメントのパタ−ンでは、好ましくは、上げ波または下げ波の方向の確認必要となってくる。トレ−ダ−はことを理解して、反対のタイプの波に伴いこれらの連続が弱まるか断絶するまで取り引きに留まることができる。反対のタイプの波が存在することで、好ましくは取り引きからの撤退を示すことができる。これにより、トレ−ダ−は、雑音や誤った情報を却けながら、確信を持って取り引きに留まるか取り引きから撤退することができる。
【００１７】
好ましくは、強気または弱気の根拠は、以前の価格行動および将来の確認に基づく。上げから下げの波の形成は、以前の取り引きまたは逆プロット（新交差）からの任意のタイムフレ−ムに対する上げ波の進行後に始まる。上げ波は、市場での決断が定まらない所で弱まり始め、下げ波との平衡状態を示す。実際の市場の状況においては、このような不安定の状態で、上げ波と下げ波が均衡するところで、決断が定まらない状態が発生する。好ましくは、先行き不安の波の拡大は、売り圧力により生み出される先行き不安の波がさらにアライメントすることで表れる。さらに好ましくは、異なるタイムフレ−ムの複数の波のアライメントの確認によって新しい逆プロットが確認される（新交差、新しい売りまたは買いの情報）。さらに好ましくは、アルゴリズムに対する外部の価値の割り込み（以下の説明を参照）がいくつかあると、新交差を生み出す必要がでてくる場合もある。さらに好ましくは、弱気から弱気の決断が定まらない状態の後に、弱気の確認のために、下げ波がさらに必要となる。
【００１８】
アルゴリズムの基準
特定の市場取引手段に対するリアルタイムの情報としてもたらされた４本値のような変数は、特定の表示期間（１分から１年）で評価することができる（少なくともここでは、このような少なくとも１つの取引可能金融商品に関連する時系列の取引デ−タを受け取ることを示している）。その評価の結果により、リアルタイムでＸ軸に少なくとも１つの買い圧力線（通常、緑線）、Ｙ軸に少なくとも１つの売り圧力線（通常、赤線）を描くことができると好ましい（少なくともここでは、必要な計算を事実上リアルタイムに行うために、少なくとも１つのコンピュ−タプログラムを利用していることを示しており、また、少なくとも一人のトレ−ダ−と実質的にリアルタイムに通信を行うために、このような少なくとも１つのコンピュ−タプログラムを利用していることを示している）。以下のような２つの別個のアルゴリズムを使ってグラフを描くことが好ましい。
Ｖ１−売り圧力のリアルタイム線で、赤で描かれる（少なくともここでは、少なくとも１つの第１の計算として、少なくとも１つの取引可能金融商品の売りに対する時系列の集合的欲求を意味する少なくとも１つの１番目の表示期間の値を、少なくとも表示期間が重なっているこのような時系列の少なくとも１つの複数タイムフレ−ムにおける取引デ−タを使って計算することを示している）。
Ｖ２−買い圧力のリアルタイム線で、緑で描かれる（少なくともここでは、少なくとも１つの２度目の計算として、少なくとも１つの取引可能金融商品の買いに対する時系列の集合的欲求を意味する少なくとも１つの第２の表示期間の値を、少なくとも表示期間の重なるこのような時系列の少なくとも１つの複数タイムフレ−ムにおける取引デ−タを使って計算することを示している）。
【００１９】
両方のアルゴリズムは、特定の表示期間における市場取引手段の４本値に基づく数式を用いて、独立して、またはいくつかの変数および定数と組み合わせて生成することが好ましい。例えば、自然対数関数を指数に使用し、始値および終値を様々な表示期間の平均として利用することが好ましい。この仕様の指示を読めば、当業者であれば、適切な状況下においては、例えば市場デ−タ等の可用性、例えば呼び値の有効性等のようなその他の調整、その他のトレンド算出方法などの問題を考慮することができることを、ここで理解できるであろう。両アルゴリズムと、それらが新交差をいかにして発現するかについて、または特定の表示期間における新たな転換点についての有効な関係性の例について、図１、図２および図３に示す（少なくともここでは、このような少なくとも１つの表示期間におけるこのような少なくとも１つの第１の分足値の少なくとも１つの第１のグラフ表示を生成することを示しており、また少なくともここでは、このような少なくとも１つの表示期間におけるこのような少なくとも１つの第２の分足値の少なくとも１つの第２のグラフ表示を生成することを示している。さらに少なくともここでは、このような少なくとも１つの第１のグラフ表示およびこのような少なくとも１つの第２のグラフ表示が、比較分析に関連する少なくとも１つのシステムを提供する少なくとも１つの比較分析チャ−トに共に提示されていることを示している）。上昇トレンドおよび下降トレンドにおけるＶ１およびＶ２両方の有効な基本的挙動について、図４に示す。図４に示す通り、上昇トレンドではＶ−２がＶ１よりも高く、下降トレンドではそれが逆になっている（少なくともここでは、このような少なくとも１つの取引可能金融商品の買いに対するこのような時系列の集合的欲求を比較して、このような少なくとも表示期間の重なる少なくとも１つの表示期間における買いに対するこのような時系列の集合的欲求と売りに対するこのような時系列の集合的欲求との間の少なくとも１つの「強弱関係」について最初の判断を下すことを示している）。
Ｖ１およびＶ２の特性および挙動を評価することで、上昇トレンドまたは下降トレンドの終わりまたは始まりを予測することができると好ましい。図４に示す特性を得るために、Ｖ１およびＶ２の両方が、始値または終値といくつかの可変係数とで形成できると好ましい。
【００２０】
推奨される定義
ＦＸ指標−ＦＸ指標は、好ましくは、緑の線（Ｖ２）、赤の線（Ｖ１）、および緑の点（Ｖ４）、赤の点（Ｖ３）で構成する。ＦＸ指標の数式は、好ましくは、市場取引手段に関して強気または弱気のトレンド、反発および新交差を決定する。一連の市場デ−タ値を新たに受け取るたびにＶ１、Ｖ２、Ｖ３およびＶ４アルゴリズムを再計算し、グラフを描き直すことが好ましい。
反発−赤および緑の指標（Ｖ１およびＶ２、またはＶ３およびＶ４）が収斂するが交差せず、その後分かれていく。赤および緑の指標は一定の収斂入力率の範囲に収斂する。赤および緑の指標値は等しくなり得るが、交わることはない。値が一旦収斂率の範囲内に入った後にその範囲を超えると、反発シグナルが発されることが好ましい。
新交差−赤の指標が緑の指標といずれかの方向で交わる（Ｖ１およびＶ２、またはＶ３およびＶ４のいずれか）。
Ｖ−ＴＷＯ指標−ＦＸ指標を単純化したもので、好ましくは、Ｖ１およびＶ２の線のみを示す。Ｖ１およびＶ２アルゴリズム値を用い、Ｖ−２指標により、売買機会、トレンドの方向、および市場取引手段の値方向反転の可能性をリアルタイムに識別できると好ましい。売買に関してシグナルを発することにより、多くの点でトレ−ダ−の役に立つことが好ましい。Ｖ１とＶ２との関係性については図１、図２および図３を、Ｖ１およびＶ２に基づく詳細については図１５を参照のこと。
図５、図６、図７および図８に示したＶ−２指標の推奨される特性のいくつかを以下に挙げる。
△Ｖ１−前の表示期間からのＶ１の変化、前の表示期間からのＶ１の下降（ややプラス）変化、前の表示期間からのＶ１の下降（ややプラス）変化、前の表示期間からのＶ１の下降（ややプラス）変化、プラス。
△Ｖ２−前の表示期間からのＶ２の変化、前の表示期間からのＶ２の下降（ややプラス）、前の表示期間からのＶ２の下降変化、前の表示期間からのＶ２の上昇（かなりプラス）変化、下降（ややプラス）。
△Ｖ１／△Ｖ２−Ｖ−ＴＷＯレシオが下降またはややプラス、上昇、下降またはややプラス、上昇。値が低くなればなるほど、トレンドが変化する可能性が高まる。
引け−Ｖ２−かなりマイナス、ややマイナス、マイナスからプラス。
引け−Ｖ１−ややマイナス（もしくは、マイナスからプラス）、かなりマイナス。
（Ｖ１−Ｖ２）−プラス値からマイナス値になる、マイナス値からプラス値になる、プラス値、ややプラス値から交差へ向かう、前の表示期間と比較してややマイナスになり、ある場合にはマイナスのみになる。
【００２１】
Ｖ−ＴＷＯ強度−売買圧力は、前の表示期間と現在の表示期間とを比較したＶ１およびＶ２の値の相違により測定できることが好ましい。例えば下降市場では、Ｖ１（弱気）およびＶ２（強気）の変数は、前の表示期間で選択した値と比較してマイナスのままであることが好ましい。Ｖ１およびＶ２の値が逆方向に突然変化した場合は、そのトレンドが続く可能性を示している。トレンドがマイナス方向に解消すれば、Ｖ２の値は加速する。
【００２２】
Ｖ−ＦＯＵＲ指標−もうひと組のアルゴリズムは、リアルタイムに、かつＶ２およびＶ１のリアルタイムのグラフ表示と連動して、つまり、Ｖ−ＴＷＯ指標の周囲に描かれることが好ましい（少なくともここでは、このような少なくとも１つの第３のグラフ表示および少なくとも１つの第４のグラフ表示が、このような少なくとも１つの第１のグラフ表示およびこのような少なくとも１つの第２のグラフ表示と共に、このような少なくとも１つの比較分析チャ−トに提示されていることを示している）。これらのアルゴリズムは、前の表示期間に関連する特定の表示期間における最高値の位置（緑の点で描かれたＶ４）および最安値の位置（赤の点で描かれたＶ３）をリアルタイムに反映していることが好ましい（少なくともここでは、このような少なくとも１つの表示期間における少なくとも１つの第３の分足値を計算することを示しており、また少なくともここでは、このような少なくとも１つの第３の分足値が、このような少なくとも１つの表示期間においてこのような少なくとも１つの取引可能金融商品に支払われた少なくとも１つの最安値に基づいていることを示している。さらに少なくともここでは、このような少なくとも１つの表示期間における少なくとも１つの第４の分足値を計算することを示しており、また少なくともここでは、このような少なくとも１つの第３の分足値が、このような少なくとも１つの表示期間においてこのような少なくとも１つの取引可能金融商品に支払われた少なくとも１つの最高値に基づいていることを示している。さらにまた、少なくともここでは、このような少なくとも１つの表示期間におけるこのような少なくとも１つの第３の分足値の少なくとも１つの第３のグラフ表示を行うことを示しており、また少なくともここでは、このような少なくとも１つの表示期間におけるこのような少なくとも１つの第４の分足値の少なくとも１つの第４のグラフ表示を行うことを示している）。市場により強い売り圧力が存在するときには、Ｖ４の緑点はＶ２の緑線の下に位置し、より強い買い圧力が存在するときにはＶ２の緑線の上に位置するようになり、また、市場により強い売り圧力が存在するときには、Ｖ３の赤点はＶ１の赤線の上に位置し、より強い買い圧力が存在するときにはＶ２の緑線の下に位置するようになることが好ましい。トレンドの反転または交差において、Ｖ３の赤点とＶ４の緑点の位置は互いに重なり合って反転または傾斜することになる（角度は各々異なる）。
【００２３】
ドットについての詳細は、以下の「ドット理論」を参照のこと。Ｖ−２指標の提示例については、図９および図１０を参照のこと。様々な市況下におけるＶ１、Ｖ２、Ｖ３およびＶ４の挙動については、図１５に示されている。
【００２４】
図１１、図１２、図１３および図１４に示したＶ−４指標の推奨される特性のいくつかを以下に挙げる。
△Ｖ３−前の表示期間からのＶ３の変化、前の表示期間からのＶ３の下降（ややプラス）変化、前の表示期間からのＶ３の下降（ややプラス）変化、前の表示期間からのＶ３の下降（ややプラス）変化、プラス。
△Ｖ４−前の表示期間からのＶ４の変化、前の表示期間からのＶ４の下降（ややプラス）、前の表示期間からのＶ２の下降変化、前の表示期間からのＶ２の上昇（かなりプラス）変化、下降（ややプラス）および時折上昇。
△Ｖ３／△Ｖ４−Ｖ−４レシオが下降またはややプラス、下降および時折上昇、下降またはややプラス。
引け−Ｖ４−前の表示期間と比較してややマイナス。時折かなりマイナス、かなりマイナス。
引け−Ｖ３−ややマイナス（もしくは、マイナスからプラス）、かなりマイナス、かなりプラス。
（Ｖ３−Ｖ４）−プラス値からマイナス値になる、マイナス値からプラス値になる、プラス値、ややプラス値から交差へ向かう、前の表示期間と比較してややマイナスになり、ある場合にはマイナスのみになる。
【００２５】
Ｖ−４強度−売買圧力は、前の表示期間と比較した両方の値（Ｖ３およびＶ４）の相違により測定できる。下降市場では、Ｖ３（弱気）およびＶ４（強気）の変数は、前の表示期間で選択した値段と比較してマイナスを維持することが好ましい。Ｖ３およびＶ４の値が逆方向に突然変化した場合は、そのトレンドが続く可能性を示している。トレンドがマイナス方向に解消すれば、Ｖ４の値は加速する。
Ｖ−４強度およびＶ−２強度は、さらに比較して追加確認を行うことが好ましい。
【００２６】
イベント割り込みテクニック
イベント割り込みテクニックは、上げ波から下げ波へ、もしくは下げ波から上げ波への転換において人為的に交差を生成する際に使われることが好ましい。圧力が減少または増加すると、市場取引手段の実際の取り引きで正確な参加を行うために、上げ波から下げ波への転換の場合は厳密に最高点で、下げ波から上げ波への転換の場合は厳密に最低点で、Ｖ１およびＶ２の両方の値に外部変数の割り込みがかけられ新しい人為的交差が生成されることが好ましい。外部変数の割り込みも、上げ波から下げ波への転換の場合は第１の表示期間の終値または始値が最初に最高点から反転する際に、または第２の表示期間の終値または始値が最初に反転する際に、人為的交差を生成するために使われることが好ましい。外部変数の割り込みは、下げ波から上げ波への転換の場合にも同様に適用できることが好ましい。これらの外部割り込みによって生成された新交差を「人為的交差」とも呼び、いかなる外部割り込みもない転換による自然の反転によって生成された新交差を「自然交差」とも呼ぶことが好ましい。ここでは新交差および自然交差という用語は、ほぼ同じ意味に使われている。
【００２７】
人為的交差の最大の利点は、従来のチャ−トパタ−ンの確認における参加を正確に突き止めることである。このテクニックではあまり利益を産めないかもしれないが、自然交差を用いるよりリスクはずっと少ない。多くのチャ−ト作成ツ−ルにおける従来の反転パタ−ンおよびそれらの反転確認ポイントは、人為的交差をグラフに描くことで代用できることが好ましい。
【００２８】
人為的交差は、それが上げ波の場合は最高値、下げ波の場合は最安値のある第１の表示期間から１番目、２番目、あるいは第３の期間であっても、どのような期間においてもＸ−Ｙ軸を持つグラフにできると好ましい。これはトレンドを包含するすべての波および綾戻しに適用することが好ましい。
【００２９】
従来の方式またはパタ−ンによる買い圧力の減少および交差の確認は、新下降交差と呼ばれる。外部変数割り込みによる買い圧力の減少および交差の確認は、人為的下降交差と呼ばれる。従来の方式またはパタ−ンによる売り圧力の減少および交差の確認は、新上昇交差と呼ばれる。外部変数割り込みによる売り圧力の減少および交差の確認は、人為的上昇交差と呼ばれる。
【００３０】
自然交差と人為的交差の両方が示されること、簡易的に言えば、すべての交差を新交差、上昇交差または下降交差として認識できることが好ましい。Ｖ−２指標およびＶ−４指標上の交差を比較することによって、また従来の棒分チャ−トやロ−ソク分チャ−トを調べることによって、人為的交差を特定できることが好ましい。図１６および図１７を参照のこと。
【００３１】
適切なアライメントを使い、参加および撤退のシグナルを生成
完全に下降または完全に上昇している新交差が最初に３つアライメントしたときは、これを最終アライメントの事前シグナルとして捉えることができ、従来のチャ−トにカラ−のバ−、ロ−ソク、ラインで示せることが好ましい。少なくともこのような表示期間のアライメントが４回起こるまで、これらのバ−、ロ−ソク、ラインは何度も表示できることが好ましい。表示期間が４回目にアライメントした際に、５分における参加シグナルとしてシグナルの転換が起こることが好ましい。トレ−ダ−はアライメントをチェックするのに、２分、３分、４分、５分、６分およびそれ以上のような複数の表示期間を好きなように組み合せて選択することができ、選択した分足のいずれにもカラ−のバ−を使うことができると好ましい。図１９および図２０を参照のこと。
【００３２】
５分の参加シグナルを必ず選択しなければならないようになっていないことが好ましい。トレ−ダ−は１０分、１５分、３０分、４５分、６０分、もしくは１分の倍数または１処理（１取り引き）組み合せて使えることが好ましい。例えば、トレ−ダ−が３０分、１８０分、４８０分、日足のような表示期間のうち事前に決めたいくつかの分を選択した際に、３０分でアライメントが発現した際にシグナルを発する、などのようにできると好ましい。アライメントを捉えるために選択できる組み合わせには制限がないことが好ましい。複数の表示期間の各アライメントイベントは、トレ−ニングとしては、強気または弱気のいずれかの市況において参加シグナルとして最終アライメントシグナルを考慮する前に、説明形式で提示できることが好ましい。図１９および図２０を参照のこと。
【００３３】
３つの表示期間でアライメントが発現し、トレ−ダ−が買いまたは売りの最終シグナルを待っているときに、トレ−ダ−は、好ましくは従来のロ−ソク足で白抜きまたは塗りつぶしのロ−ソクを使うことにより、内部者売買のテクニック（５分での売買活動）を使うことができると好ましい。アライメント発現時点で上昇交差が起こった場合、強気のアライメントがあるときであっても、内部者による売りであることを示すためにロ−ソクチャ−トに緑の塗りつぶしロ−ソクが描かれることが好ましい。トレ−ダ−が説明およびアライメントを使用するときには、それらの赤色の表示期間を見られることが好ましい（以下の「説明およびアライメント」を参照のこと）。同じロジックは弱気のアライメントにも当てはまることが好ましい。トレ−ダ−は好ましくは、塗りつぶしロ−ソクをアライメントまたはアライメント前の有力な兆候として使用し、白抜きの赤のロ−ソクを避け、説明およびアライメントによって内部者による買いを特定することができる。
【００３４】
すべての表示期間、現在選択されている表示期間、波の種類（上げ波または下げ波）、現在の波が始まってから経過した表示期間数、時間、新交差における市場取引手段の値、現在のステ−タス、４本値、および新交差が発現したタイミングなど、すべての履歴が説明に提示されることが好ましい。トレ−ダ−はこの履歴のどの表示期間についてもカスタマイズできることが好ましい。トレ−ダ−は、特定の市場取引手段または複数の市場取引手段の様々なアライメントに関して、クリティカルパス分析（「アライメントに関するクリティカルパス方法」を参照のこと）の結果を利用することができると好ましい。アライメントおよび市場ポジションの履歴サンプルについては、図１７Ａを参照のこと。
【００３５】
アライメントを用いた市場タイミングへの適用
新たな上げ波または下げ波の初めに形成された新交差は、異なる表示期間の４本値に使われ、複数（２つ以上）の表示期間および５分の新交差とアライメントできることが好ましい。最終アライメントイベント（上昇または下降のいずれかの４回の新交差）は、その後、５分のバ−チャ−トまたはロ−ソクチャ−ト上にその市場取引手段の強気または弱気のバイアスの参加シグナルとして転記できることが好ましい。最終アライメントは、ロ−ソク、バ−、ラインなどのあらゆる従来のチャ−ト方式に、緑または赤の矢印、もしくは好みの記号で示すことができると好ましい。アライメントの例については図１８を、アライメントおよび５分の参加シグナルの例については図１９、図２０および図２０Ａを参照のこと。
【００３６】
アライメントと説明
特定の市場取引手段のアライメント履歴は、専門家による説明（下記参照）を用い、説明形式で表示できることが好ましい。専門家による説明は、トレ−ダ−が参加および撤退シグナルに関してより良い判断を下し、自分自身もより上手に成長させるために役立てられることが好ましい。すべての表示期間における新交差については、専門家による説明を参照して再検討され、利用できる最善の選択が為され、トレ−ダ−に提示されることが好ましい。それほどリスクの高くない参加を産み出すアライメントの準備ができている最短から最長の表示期間まで揃えられた２つ以上の表示期間を自動的に表示することができると好ましい。トレ−ダ−は事前に決めておいた表示期間でアライメントを発現するように選択することができると好ましいが、しかしこれは、投資機会を狭め利幅を狭くする結果になる。自然なアライメントは、リアルタイムで充分な投資機会をもたらし、取引回数をより少なくすることが好ましい。また、専門家による説明については、別の表示期間における直近の新交差の可能性を見れば、アライメントの準備が整った最小表示期間を認識して最も可能性の高い表示期間を選択し、それを説明欄のウォッチリストに表示できることが好ましい。
【００３７】
アライメントおよびアライメントで生成されたシグナルの概念は、バ−チャ−ト、ラインチャ−ト、ロ−ソクチャ−トなどの従来のチャ−ト方式でも使えることが好ましい。アライメントが発現しているバ−チャ−トの使用例については、図２２および図２３を参照のこと。図２１および図２４に示すように、アライメント概念はＶ−２指標、Ｖ−４指標、デイトレ−ダ−ヘブンおよび他のチャ−ト方式にレイアウトを伴もなって使用できることが好ましい。
【００３８】
現在の専門家による説明およびアライメント方法を使い、以下のような説明例ができることが好ましい（弱気のアライメントの例については図１９を、強気のアライメントの例については図２０を、それぞれ参照のこと）。
「顕著なアライメントが発現している。上昇交差が少なくとも３つの異なる表示期間で発現した。
ベ−スラインの表示期間は４８０分（最強）である。この表示期間は、値動きに関して概観を掴むのに使われる。表示期間が短いものは動きが少ないもので、このベ−スライン表示の綾戻しであると考えることができる。
トレンド表示期間は３６０分（やや強）である。この表示期間はベ−スラインの範囲の小動きの最も一般的なトレンドを示す（表示トレンド）。
検証表示期間は１８０分（強）である。この表示期間はトレンドの２つ目のオプションとして使用される。この表示期間は、トレンドおよびタ−ゲット表示期間のベ−スラインとしての機能も確認する。
５分のタ−ゲット表示期間でも同じシグナルをウォッチせよ（有効な参加）。」
【００３９】
上記アライメントに関わらず、すべての新交差時点または新交差後に、カラ−の同意マ−ク（強気の動き）および色の異なる不同意マ−ク（弱気の動き）を使い、もう１つシグナルを従来のバ−チャ−ト、ロ−ソクチャ−トまたは他のタイプのチャ−ト上に表示できることが好ましい。このマ−クは、中間参加を為すために使われるか、または既存のロットを追加または削除するために使われることが好ましい。これらの同意または不同意マ−クは、ベ−スライン、トレンド時間の範囲内あるいは検証表示期間の綾戻しを示すために使えることが好ましい。最強の波のアライメントを認識し、次に来る大きな下降を避けるために最小表示期間に参加するのが賢明である。
【００４０】
アライメント概念は、事前に決めておいた１８０分、７２０分、週足、および月足のような様々な表示期間と５分の参加シグナルとの組み合せに使えることが好ましい。上記の概念は、自然の波の発現に基づいており、トレ−ダ−が一定時間に起きた大小の波のいずれにも乗れることが好ましい。このような場合においては、売買シグナルが少なくなることもあるが、加重売買シグナルを判別できる。加重アライメントでは、トレ−ダ−は実際に事象が発生するのを待たなければならず、これによりトレ−ダ−は早期の参加機会を逃してしまう可能性がある。アライメントと伴に使われる売りシグナルの例については図２５を、アライメントと伴に使われる買いシグナルの例については図２６を参照のこと。
【００４１】
いくつかの通貨ペアの市場取引手段の市場サマリ−の表示例を図２６Ａに示している。いくつかの異なる単一通貨の組み合せ（または市場取引手段の要素）の市場サマリ−は、新交差を使い、選択された分の倍数または処理（取り引き）において異なる表示期間を示すことにより生成できることが好ましい。
【００４２】
この広範囲な視覚化により、様々に異なる市場取引手段について異なる表示期間のチャ−トを分析する必要性が排除されることが好ましい。探索フィ−チャ−を用いる際には、様々な市場取引手段に対して注意が生成され、要約されることが好ましい。これは機関投資家向けトレ−ダ−にとっては莫大な時間の節約になる。現在のロボット工学を用い、トレ−ダ−が複数の市場取引手段およびそれらの要素の売買シグナルを利用できることが好ましい（このような要素とは、米ドル−日本円、米ドル−スイスフラン、豪ドル−ニュ−ジ−ランドドルなどの通貨の組み合わせのことであり、各通貨の組み合わせは、通貨ペアと呼ばれる市場取引手段の要素である）。同様のロジックが特定の調整後の市場取引手段にも適用できる。
【００４３】
注意シグナルを上げる既存の技術を用い、２つ以上の表示期間における（上昇または下降の）新交差が、４本値または４つの値のいくつかを組み合わせることにより、アライメントが発現した際にどのような買売シグナルに対しても注意を上げられるようにできることが好ましい。シグナルは、新たなアライメントの発現時またはその前に、電子メ−ル、ポケットベル、または携帯電話のいずれかに送信されることが好ましい。注意シグナルを使い、新交差が形成されるか、または週足、日足、四半期足、または年足の表示期間にアライメントが発現する際に、ゴ−ルデンバ−のような他の注意が生成されることが好ましい（「反転バ−およびゴ−ルデンバ−理論」を参照のこと）。これらの概念のいずれかを用いて現実的注意を特別に設計することができると好ましい。
【００４４】
追加理論
Ｖ−２指標、Ｖ−４指標、アライメント、新交差、および人為的交差と以下の理論とを組み合わせることにより、トレ−ダ−の便宜を図る。
ドット理論
反転バ−およびゴ−ルデンバ−理論
リアルタイムスイングバ−理論（浮動ピボットから固定ピボット）
ＦＸピボット理論
ボラティリティ理論
デイトレ−ダ−ヘブン理論、スイングトレ−ダ−ヘブン理論、短期トレ−ダ−ヘブン理論または長期トレ−ダ−ヘブン理論（ＦＸ全方向理論とも呼ばれる）
アライメントに関するクリティカルパス方法
【００４５】
ドット理論
市場取引手段を使い、また４つの値、すなわち強気、弱気の値をそれぞれ２つずつ使うことにより、パタ−ンが開発でき、重大な反転が視覚的に識別できることが好ましい。例えば、様々なＶ４の緑点とＶ３の赤点との間の距離は、買い圧力または売り圧力の強度をよりはっきりと示すことができる。
【００４６】
先に述べた通り、Ｘ−Ｙ軸グラフに描かれたＶ１の緑線、Ｖ２の赤線、Ｖ３の赤点、およびＶ４の緑点の組み合わせであるＶ−ＦＯＵＲ指標は、市場取引手段の参加および撤退ポイントを示すことができると好ましい。Ｖ−ＦＯＵＲ指標は通貨の、ＳＴ指標は株の、ＭＵ指標は投資信託の、ＣＯＭ指標は商品の、ＩＮＸ指標はインデックスのＦＸ指標とされる。実際、あらゆる市場取引手段に同じ概念で類似の名称を与えることができる。Ｖ１およびＶ２、並びにＶ１線およびＶ２線と比較したＶ３点およびＶ４点の位置によって形成された新交差は、特定の表示期間における実際の売買圧力のさらなる証拠となることが好ましい。Ｘ−Ｙ軸グラフにＶ１およびＶ２を描いた後に形成された新交差は、次に先に述べたアライメントを特定するために使うことができると好ましい。新交差点において、Ｖ４点とＶ３点の位置が反転している場合、それは反転ポイントを指しており、Ｖ４点とＶ３点が重なっている場合は市場の迷いを示していることが好ましい。さらに、Ｖ４点またはＶ３点のいずれかとして示された４つの値（強気、弱気の値それぞれ２つずつ）は、早期の参加および撤退を特定するために利用でき、単独で、または交差もしくは他のパタ−ンと組み合わせて使うことができることが好ましい。この例については、図２８および図２９を参照のこと。
【００４７】
反転バ−とゴ−ルデンバ−理論
ＦＸ（通貨市場）、ＳＴ（株式市場）、ＭＵ（投信市場）、ＣＯＭ（商品）、ＩＮＸ（インデックス）のいくつかの合流点で、ロ−ソクチャ−ト、従来のバ−チャ−トまたは他のチャ−トにカラ−のバ−を追加して使えることが好ましい。これらの合流点は４本値を用いる重大な反転であり、任意に点のパタ−ンを基とした参加および撤退を識別しているＦＸトレ−ダ−ボラティリティ（「ボラティリティ理論」を参照のこと）であることが好ましい。推奨される数式により４本値およびボラティリティを参照してバ−（またはロ−ソクチャ−トのロ−ソク）を描くが、それがゴ−ルデンバ−（弱気の反転指標）および青緑バ−（強気の反転指標）として表示できることが好ましい。
【００４８】
以下は弱気の反転のゴ−ルデンバ−、または強気の反転の青緑バ−を表示するために推奨される数式である。ゴ−ルデンバ−、青緑バ−は、トレンドの突然の反転、突然の売買指示、トレンドの鈍化、連結または連結の解消を示すために使われることが好ましい。ゴ−ルデンバ−、青緑バ−は、従来のロ−ソクチャ−トまたはバ−チャ−トと関連してあらゆる市場に使えることが好ましい。これらはＶ−２チャ−トおよびＶ−４チャ−トの拡張にも使えることが好ましい。
【００４９】
以下の上昇条件が満たされるときに、青緑バ−が表示されることが好ましい。Ｔ１は前の表示期間を表し、Ｔ２は現在の表示期間を表す。
Ｔ２の始値＜Ｔ１の始値
Ｔ２の高値＞Ｔ１の高値（上昇シグナル−Ｔ２の高値＞Ｔ１の高値）
Ｔ１の安値≧Ｔ２の安値
Ｔ２の終値＞Ｔ１の終値
Ｔ２のボラティリティ＞Ｔ１のボラティリティ
以下の下降条件が満たされるとき、ゴ−ルデンバ−が表示されることが好ましい。Ｔ１は前の表示期間を表し、Ｔ２は現在の表示期間を表す。
Ｔ２の始値＞Ｔ１の始値
Ｔ２の高値≦Ｔ１の高値
Ｔ２の安値＜Ｔ１の安値
Ｔ２の終値＜Ｔ１の終値
Ｔ２のボラティリティ＞Ｔ１のボラティリティ
どちらの場合にも、条件は通常逆である。
上げ波または下げ波の強度を評価するには、１.２、１.５などの係数をボラティリティに掛けることができる。以下に例を挙げる。
Ｔ２のボラティリティ＝１.２＊Ｔ１のボラティリティ−>少量の売り
Ｔ２のボラティリティ＝１.５＊Ｔ１のボラティリティ−>大量の売り
青緑バ−の強度を示すには、１.２、１.５などの係数をＴ２の高値に掛けることができる。以下に例を挙げる。
Ｔ２の高値＝１.２＊Ｔ１の高値−＞やや上昇
Ｔ２の高値＝１.５＊Ｔ１の高値−＞大きく上昇
あらゆる表示期間の４本値を使うことにより、上記の数式を重要な反転、Ｖ−フォ−メ−ション、U−フォ−メ−ション、ダブルトップ、ダブルボトムなどを発見する助けとして異なる方法で使えることが好ましい。この数式は、ダブルトップおよび上昇トレンド反転の可能性を決定するために役立てることができると好ましい。
Ｔ２の始値＜Ｔ１の始値
Ｔ２の高値＝Ｔ１の高値
Ｔ２の安値＞Ｔ１の安値
Ｔ２の終値≦Ｔ１の終値
Ｔ２のボラティリティ≦Ｔ１のボラティリティ
これらのバ−は、ロ−ソクチャ−トまたはバ−チャ−トに現わすことが好ましい。これらのバ−は、トレンドの鈍化、新たなトレンドの開始、連結、素早い反転、新たなイベント時間の反転を示す。
【００５０】
これらは金融市場で減速用のバンパ−のような役割も果たす。さらなる例については、図２９、図３０、図３１、図３２および図４２を参照のこと。
【００５１】
リアルタイムスイングバ−理論（浮動ピボットから固定ピボット）
ドットの最も高いポイント（Ｖ４）および低いポイント（Ｖ３）を使い、主なトレンド線、中間トレンド線、および今現在のピボットポイントを確立するためのリアルタイムスイングバ−が作れることが好ましい。これらのバ−の上端および下端を浮動ピボットとして参照できることが好ましい。Ｖ−２指標を使い、ダイヤモンド記号にも同様の参照ができることが好ましい。Ｖ−２指標およびＶ−４指標と調和する浮動ピボットの性質は非常に強力である。適切な買い、売りの決定を為すもっと良い確率を出力する両指標の浮動ピボットを一致させるにも、わずかな表示期間しか要しない。Ｖ−２指標の浮動ピボットはＶ１およびＶ２の値に基づいて計算され、Ｖ−４指標の浮動ピボットはＶ３およびＶ４の値に基づいて計算されることが好ましい。他の係数およびパラメ−タは、好ましい結果を得るために使われることが好ましい。最終スイング線は常にリアルタイムスイング線であり、かつ常に浮動していることが好ましい。最終スイング線は、前の変動によって作られた安定したピボットの後の新たなトレンドを予測することが好ましい。それぞれの新たな浮動ピボットは、新たな方向が確立されたときに安定することが好ましい。アライメントおよびＶ−ＦＯＵＲ指標を使い、これらのピボットポイントと従来の日足ピボットおよび５分チャ−トによって生成された売買シグナルとを組み合わせることで、追加的で厳密な参加および撤退ポイント（複数の確認ポイント）を生成できることが好ましい。現在の科学技術を用い、専門家による説明をリアルタイムに表示し、様々な表示期間でこのようなポイントの共通点を説明することができると好ましい。図３２Ａを参照のこと。
【００５２】
ＦＸピボット理論
日足ピボット、６０分ピボット、またはその他の表示期間のピボットのようなピボットは、市場取引手段の４本値を使い計算することができる。Ｖ−４指標、Ｖ−２指標、またはゴ−ルデンバ−とピボット計算によって作られた複数のアライメント確認シグナルは、市場の強気サイドまたは弱気サイドのいずれに対しても非常に強力なシグナルを提供することが好ましい。例を挙げると、強気市場では、クリティカル方法を検証した後にアライメントによって買いシグナルが生成され、強力な視覚的買いシグナルが提供される。参加は、日足または好ましいピボットポイントの上、あるいは１番目または第２の抵抗レベルの上に留まった後であることが好ましい。同じロジックは、逆方向の弱気の参加にも適用できる。この理論を適用することで、通常、あらゆる市場およびあらゆる市場取引手段において非常に利益を得ることができる。５つのピボット線または７つのピボット線は、Ｘ−Ｙ軸グラフ上で結合し、参加または撤退ポイントの位置を視覚化できることが好ましい。同様の原理は、特別に作られたピボットにも適用できる。図３２Ｂおよび図３３を参照のこと。
【００５３】
ボラティリティ理論
外国為替市場でのボラティリティの指標は、ある表示期間のＰIＰの変動量に基づき１つ表示期間、直近５つの表示期間、直近１０の表示期間、または直近２０の表示期間に基づくＰIＰ値の変動量を加味して作成できることが好ましい（少なくともここでは、ここのような少なくとも１つの表示期間におけるこのような少なくとも１つの取引可能金融商品のボラティリティを表す少なくとも１つの５分値を計算することを示している）。ある表示期間における約定量に基づいたドル値の変化もグラフに描けることが好ましい（少なくともここでは、このような少なくとも１つの５分値がこのような少なくとも１つの表示期間におけるこのような少なくとも１つの取引可能金融商品の少なくとも１つの支払い値幅に基づいていることを示しており、また少なくともここでは、このような少なくとも１つの表示期間におけるこのような少なくとも１つの５分値の少なくとも１つの５番目のグラフ表示を行うことを示している）。特定の表示期間における値の変化率は、外国為替市場でボラティリティを計算するためには非常に重要である。ボラティリティの例については、図３４、図３５、図３６および図３７を参照のこと。
上げ波から下げ波への形成例を以下に示す。
交差時点−ほとんどの場合、前の表示期間からボラティリティ値が下がる。
交差後−交差時点におけるボラティリティと比較して、ボラティリティ値が上がる。
交差前−前の表示期間と比較して、ボラティリティ値が下がる。
下げ波から上げ波への形成例を以下に示す。
交差時点−ほとんどの場合、前の表示期間からボラティリティ値が上がる。
交差後−ほとんどの場合、交差時点におけるボラティリティと比較して、ボラティリティ値が下がる。
交差前−前の表示期間と比較して、ボラティリティ値が下がる。
ボラティリティ値はＶ１、Ｖ２、Ｖ３、およびＶ４の値と関連性を持つことが好ましい。換言すれば、Ｖ−２およびＶ−４の両方のＦＸ指標は、４つの値すべてと関連性を持つ。この関連性を知ることで、上げ波または下げ波の兆し、連結、トレンドの鈍り、または市場の迷い時間を予測できることが好ましい。
【００５４】
デイトレ−ダ−ヘブン、変動トレ−ダ−ヘブン、短期トレ−ダ−ヘブン、または長期トレ−ダ−ヘブン理論（ＦＸ全方向理論とも呼ばれる）
上げ波および下げ波の短期のアライメントを利用するためには、Ｖ−２指標（単純化したＦＸ指標）を用い、上昇交差と下降交差を通る垂直線を引けることが好ましい。交差後にＶ２の緑線がＶ１の赤線の上にある場合、それは強気のバイアスまたは上げ波シグナルと解釈することが好ましく、緑の垂直線で示される。交差後にＶ１の赤線がＶ２の緑線の上にあるならば、それは弱気のバイアスまたは下げ波シグナルと解釈することが好ましく、赤の垂直線で示される。トレ−ダ−は小さな波を避けることができ、従って超短期の参加をイベントとしてグラフに描いたり、または買いゾ−ン、売りゾ−ンとしてマ−クしたりしなくて済む。トレ−ダ−は、５分から６０分のチャ−トでアライメントをウォッチし、すべての表示期間が買いゾ−ンまたは売りゾ−ンのいずれかにあるときにだけ取り引きを入力できることが好ましい。これはスキャルピングまたはデイトレ−ディングに役立つ。この概念は、あらゆる表示期間の組み合わせで使え、また選択する表示期間によってスイングトレ−ド、短期トレ−ドおよび長期トレ−ドにも使うことができると好ましい。また、トレ−ダ−は専門家による説明を使い、前の交差から特定の表示期間の波のタイプおよび前の交差から現在までの棒足の位置について、リアルタイムに説明を受けることができると好ましい。図３８、図３９および図４１を参照のこと。
【００５５】
アライメントに関するクリティカルパス方法
アライメント状態にある５分または他の表示期間のいずれかにおいて、複数の売買シグナルを使うことによりクリティカルパス（複数アライメントの表示期間の一致）を生成できることが好ましい。結果として生じるクリティカルパスは、虚偽または短期のシグナルを排除し、上昇シグナルを識別するために使用できることが好ましい。
【００５６】
アライメント発現時に専門家による説明により提供された履歴を用いてアルゴリズムを作り、上げ波または下げ波が実際に起こっているのかどうかを認識することができると好ましい。クリティカルパスアルゴリズムで、個々の表示期間のセットおよび過去から現在までの多数の表示期間のセットを評価し、より長時間のセットが下降シグナルから上昇シグナルへ移る規定のアライメントと一致または不一致となった回数を判断することが好ましい。圧倒的多数の「より長時間の」アライメントが、例えば下げから上げへといったように同方向にある場合、トレ−ダ−は、図４０に示すようなトレンドについての確認通知を受けることが好ましい（少なくともここでは、このような少なくとも１つの表示期間の重なりが、（このような異なる別個の期間の）このような重なり合う複数の表示期間の集まりの少なくとも一部を為しており、そこでは、それぞれのこのような集まりがその他のこのような表示期間の集まりとは異なるこのような別個の期間の組み合わせを構成していることを示している。また少なくともここでは、少なくとも１台のコンピュ−タプロセッサ−が、このような表示期間の集まりのいずれが強気なものでいずれが弱気なものかを、少なくともひとりのトレ−ダ−に通知するために採用されたことを示しており、少なくともここでは、このような通知がこのような少なくともひとりのトレ−ダ−によるこのような意思決定を支援するために使われることを示している）。
【００５７】
好ましくは、複数の表示期間がアライメントした際の新交差（自然交差であるか人為的交差であるかは問わない）のポジションは、さらに、真の上げ波または下げ波、値動きがほとんどない（サイドウェイ状態）かまたは小幅に動いている市場についてクリティカルパスを生成するために使える。クリティカルアライメントにおいて上げ波、下げ波のフロ−を使うことにより、上げ波、下げ波のはっきりとした拮抗が表現できることが好ましい。さらに、連続する３つのアライメントの説明例を、図４０に示す。以下のロジックがトラックできることが好ましい。
これが第１の上昇交差（第１のシグナル）であり、参加が行われていないことを確かめる。
第２のシグナルでは、参加時間が１０分から３０分に上がり、トレンド時間が６０分から９０分に上がったことが判る。
検証時間が４５分から６０分に上がる。
これは、小さな上げ波がより強力でより大きな波になって行き、次の有効なシグナルが上がった際に参加せよとの指標が作られる証拠である。
同様に、第３のシグナルを入力した後に、より高いベ−スラインが作られた場合、それはさらに、より強力なトレンドの証拠である。同じロジックが下げ波に対しても適用できる。
サイドウェイの間は、シグナルがトラックされ、より小さな波からより大きな波の間を行ったり来たりできるように作られた表示期間において、トレ−ダ−に最初に上昇シグナルを、次に下降シグナルを出し、値動きが小幅またはほとんどない市場のシグナルサインを生成する。このようの状態から脱したときに上げ波または下げ波の強度をトラックし、どちらがより強力な波を生成するかを判断することが好ましく、最も強力なものを選択して取引のクリティカルパスを生成する。
その他のタイプのクリティカルパスも、同じロジックで生成することができる。
【００５８】
概念から現実へ
以下はＶ１、Ｖ２、Ｖ３、およびＶ４のアルゴリズムを使う好ましい基本的な指標である。
Ｖ−ＦＯＵＲ ＦＸ指標−完全型で、Ｖ１、Ｖ２、Ｖ３およびＶ４を使う。
Ｖ−ＴＷＯ ＦＸ指標−単純型で、Ｖ１およびＶ２のみを使う。
上記の指標を、以下の表示期間指標を生成するのに使うことが好ましい。
ＦＸ−５分買いシグナル、ＦＸ−５分売りシグナル
ＦＸ−１０分買いシグナル、ＦＸ−１０分売りシグナル
ＦＸ−１５分買いシグナル、ＦＸ−１５分売りシグナル
ＦＸ−３０分買いシグナル、ＦＸ−３０分売りシグナル
ＦＸ−４５分買いシグナル、ＦＸ−４５分売りシグナル
ＦＸ−６０分買いシグナル、ＦＸ−６０分売りシグナル
ＦＸ−日足買いシグナル、ＦＸ−日足売りシグナル
ＦＸ−週足買いシグナル、ＦＸ−週足売りシグナル
ＦＸ−月足買いシグナル、ＦＸ−月足売りシグナル
ＦＸ−四半期足買いシグナル、ＦＸ−四半期足売りシグナル
ＦＸ−年足買いシグナル、ＦＸ−年足売りシグナル
注−トレ−ダ−は、１処理（１取り引き）から１分の倍数まで、どのようなカスタマイズを行った表示期間でも用いることができる。
下記は上記の指標と連動して機能する独立した指標であることが好ましい。
ＦＸ−ボラティリティ指標
ＦＸ−日足ピボット数式
ＦＸ−６分ピボット数式
ＦＸ−表示期間ピボット数式
各表示期間におけるＦＸ−リアルタイムスイングピボット
以下の追加指標を準備しておくことが好ましい。
すべての表示期間にすべてのゴ−ルデンバ−（強気）および青緑バ−（弱気）を示す指標
すべての表示期間の第１の買いシグナルおよび第１の売りシグナルをマ−クすることができる指標
Ｖ−２ ＦＸ指標およびＶ−ＴＷＯ ＦＸ指標を用いて、動きの鈍いまたは速いトレンド、連結または急上昇の兆し、およびその方向を予測して、トレンド反転の可能性を示す指標
ＶI−Ｖ２指標
ＶI／Ｖ２−単純レシオ（Ｖ−ＴＷＯ）指標
△Ｖ−変化率（Ｖ１およびＶ２）
引け−Ｖ１、引け−Ｖ２
ピボット−ＶI、ピボット−Ｖ２
Ｖ３−Ｖ４指標
Ｖ３／Ｖ４−フルレシオ（Ｖ−４）指標
△Ｖ−変化率（Ｖ２およびＶ３）
引け−Ｖ３指標、引け−Ｖ４指標
ピボット−Ｖ３指標、ピボット−Ｖ４指標
ＶI／Ｖ３−下降強度指標
Ｖ２／Ｖ４−上昇強度レシオ
【００５９】
自然交差および人為的交差を使ってアライメントを発現させることができると好ましい。以下のアライメントは、参加または撤退のシグナルのために使うことができる。
専門家による説明を使った複数の表示期間におけるゴ−ルデンバ−（弱気）および青緑バ−（強気）のアライメント。これらのアライメントは、見込まれるトレンド反転ポイント、トレンド変化の兆し、見込まれる強連結または弱連結の兆し、および綾戻しの予測を生成するのが好ましい。
市場取引手段に対するより有効な参加および撤退を行うための、複数の表示期間（２つ以上）のアライメント。
複数の表示期間における説明ウィンドウの第１の段階で発現したアライメントは、好ましくはクリティカルパスを作り、上げ波または下げ波のフロ−をトラックし、優良な波を判別して、内包するトレンドをトラックし、内部者売買を判別する。このようなアライメントを誘導波理論と呼ぶことができる。
様々な条件を使うＶ１、Ｖ２、Ｖ３、Ｖ４の間のアライメントは、好ましくは、反転の可能性、トレンド変化の兆し、連結、重大な参加、解除ポイント、参加、解除の重複確認に使うことができる。
従来のＦＸの日足または他の表示期間ピボット、およびＶ−４指標を使った売買シグナルのアライメントでのリアルタイムスイングバ−のアライメント。
【００６０】
利用可能なテンプレ−ト
Ｖ−２ ＦＸ指標、Ｖ−４ ＦＸ指標、および多くの他の生成指標を容易に使うために、以下の表示テンプレ−トを生成できることが好ましい。
全方向短期テンプレ−ト−参加、解除のシグナルには、Ｖ−２指標またはＶ−４指標（５分）のいずれかを使った５分、１０分、１５分、３０分、４５分、および６０分の表示期間を使う。
このテンプレ−トには、売買ゾ−ンおよびそのアライメントを使うことが好ましい。このテンプレ−トは、デイトレ−ダ−ヘブンまたはＦＸ指標と呼ばれる。このレイアウトは、非常に短期の取り引きを行ってそれをスイング取引などのより長期の取り引きの入力として使うことを目的として作成することが好ましい。スイング取引を行うトレ−ダ−の間では、これはスイングトレ−ダ−ヘブン指標、短期ヘブン指標などと呼ばれる。
ゴ−ルデンバ−テンプレ−ト−このテンプレ−トは、Ｖ−４指標を持つ従来のバ−チャ−トまたはロ−ソクチャ−トと連動して使われる可能性がある。
ボラティリティテンプレ−ト−このテンプレ−トは、Ｖ−４指標またはＶ−２指標と連動して、独立したテンプレ−トとして使う。
市場サマリ−テンプレ−ト−ＦＸ長期方向テンプレ−ト、ＦＸ短期方向テンプレ−ト、およびＦＸシグナル（マスタ−）テンプレ−トとして、主要１７通貨すべてのペアの概要を提供する。
ＦＸ長期方向テンプレ−トは、好ましくは以下を含む。
説明−主要１７通貨が縦に並べられると好ましい。長期の最新トレンドは緑または赤の矢印で表示し、方向を示す。長期とは、４８０分、５４０分、６００分、６６０分、７２０分、日足、週足、および月足を言う（四半期足、年足はオプション）。
ハイライト−グラフに表される値は、トレンドに応じて緑（上昇）または赤（下降）のいずれかで強調されることが好ましい。
ＦＸ短期方向テンプレ−トは、好ましくは以下を含む。
説明−主要１７通貨が縦に並べられると好ましい。短期の最新トレンドは緑または赤の矢印で表示し、方向を示す。短期とは、６０分、９０分、１２０分、１８０分、２４０分、３００分、３６０分、４２０分を言う。
ハイライト−グラフに表される値は、トレンドに応じて緑（上昇）または赤（下降）のいずれかで強調されることが好ましい。
ＦＸシグナル（マスタ−）テンプレ−トは、好ましくは以下を含む。
説明−主要１７通貨のペアのグリッドを５列に表示するのが好ましい。列見出しは、ベ−スライン、トレンド時間、検証、および参加となる。グリッドは、それぞれの期間および与えられるシグナルを識別する。あるペアに対する取り引きがない場合、そこには「N／Ａ」と表示される。取り引きの発生をウォッチしていたければ、参加のあるペアのチャ−トの表示期間をモニタ−せよ、と示唆することが好ましい。
ハイライト−グラフに表される値は、トレンドに応じて緑（上昇）または赤（下降）のいずれかで強調されることが好ましい。
シンボル−シグナルがあるときには、以下のマ−クがグラフ上に描かれると好ましい−強気の反発、弱気の反発、上昇交差、および下降交差。
シグナル−シグナルがあるときには、以下の注意が上がると好ましい−強気の反発、弱気の反発、上昇交差、および下降交差。トレ−ダ−は個人個人で、上４つの組み合わせを選択することができると好ましい。
【００６１】
他のレイアウト
ＦＸレイアウト−ＦＸ指標をもつ日足、週足、６０分、および１５分ごとのチャ−トのレイアウトである。ＦＸ長期方向性の説明が、好ましくは日足、および週足に加えられ、ＦＸ短期方向性の説明が、好ましくは６０分ごとに加えられ、ＦＸ信号専門家が、好ましくは１５分およびそれ以外のタイムフレ−ムで以後５分間隔にて存在する。
【００６２】
デイトレ−ダ−ヘブン−ＦＸトレ−ダ−指標を持つ５分、１０分、１５分、３０分、４５分、および６０分ごとに作成されるレイアウトで、各タイムフレ−ムで作成されるのが好ましい。また、好ましくは、説明は各タイムフレ−ムで表れるのがよい。さらに好ましくは、これらの情報をチャ−トのグル−プとしてまとめ、買いまたは売りのシグナルが、すべてまたは特定のタイムフレ−ムですべてのニュ−クロスのアライメントが発生したときに、前述と同様の方法で示される。
【００６３】
ＦＸ調査−クロスと反発に対するフィルタ−は、クロスか反発かについてのその組み合わせを結果レポ−トに表示する。結果レポ−ト内の表示は以下のとおりである。
Ｃｏｌ Ａ   クロス（０または１）
Ｃｏｌ Ｂ   反発（１または０）
Ｃｏｌ Ｃ   エントリ−時間（間隔）
Ｃｏｌ Ｄ   確認時間（間隔）
Ｃｏｌ Ｅ   トレンド時間（間隔）
Ｃｏｌ Ｆ   ベ−スライン（間隔）
【００６４】
自動化
買いまたは売りの注文は、複数のクロスのアライメントの確認の時に緑または赤のロ−ソクと売りおよび買いのＦＸトレ−ドのシグナルの組み合わせで示される５分チャ−トに表示される売りおよび買いのシグナルに基づいて、リアルタイムで取引実施のための取引ロボットに送られるのが好ましい。
【００６５】
さらに、好ましくは、第一の買いまたは売りのシグナルの後に出されるシグナルも使用され、自動的に取引される。また、好ましくは、取引ロボットを使用して、トレ−ダ−は、指標、本発明での理論と概念から生成されるシグナルを使用でき、それらを組み合わせて一致させ、ロボットがトレ−ダ−を休息させる信号を得る。
【００６６】
処理対タイムフレ−ム
取引デ−タ（始値、終値、高値、安値）を報告するための１つの共通の時間基準は、５分である。ただし、同じデ−タは５回の取引または５回の処理を基準とした報告が可能である。本発明の好ましい実施形態によると、すべてのアルゴリズムと計算は、例えば分といった時間を基準として、または取引完了を基準として完了できるが、これを処理と呼ぶ。トレ−ダ−は、いずれかの報告基準が使用されるかを指定することが可能であるのが好ましい。
【００６７】
伝統的な指標の使用
好ましくは、ＲＳIおよび確立手法などの伝統的な指標を使用することに何ら要件は存在しない。ただし、いかなるタイムフレ−ムの間での価格乱高下に基づくボラティリティ指標（ＦＸトレ−ダ−ボラティリティ）は作成されてもよい。
【００６８】
トレ−ニングプログラムコンテンツと準備と提供
本発明の好ましい実施形態によると、トレ−ダ−トレ−ニングの課程の好ましい目的は、トレ−ダ−にツ−ル、すなわち図４３に示すトレ−ニングプログラム導入スライドの例で示される選択しうる最良の取引決定を実施する知識と技量を提供する。好ましくは、トレ−ダ−トレ−ニングプログラムは、分析画面の例の提示、それぞれの主要な指標（例えばＶ−ＦＯＵＲ）の基礎を成す計算についての検討、それぞれの主要な指標によって生成されるシグナルの性質の提示、シグナルの重要性の提示、どの取引意思決定をシグナルが示すかとその理由を含む。さらに好ましくは、トレ−ニングの範囲は、以下の概念の好ましいコンピュ−タでのリアルタイムでの分析システムに活用された概念、方法、およびシグナルを含む。
− Ｖ−ＦＯＵＲ指標
− Ｖ−ＴＷＯ指標
− アライメントと説明
− 新交差と人為的交差
− ドット理論
− 逆バ−理論
− ゴ−ルデンバ−理論
− リアルタイムスイングバ−理論
− ＦＸピボット理論
− ボラティリティ理論
− デイトレ−ダ−ヘブン
− スイングトレ−ダ−ヘブン
− 短期トレ−ダ−ヘブン
− 長期トレ−ダ−ヘブン理論（ＦＸオ−ルタ−ゲットとも呼ばれる）
− アライメントのクリティカルパス法
【００６９】
所望の分析の画面と指標を最初に設定した時の指示を含むのが好ましい。分析の画面を起動するための方法の手順の選択例を、図４４、図４５、図４６に示し、分析の画面の表示の最高の場合を図４７、５２、５３、５６に示す。さらに、図４７に示すとおり、好ましくは、Ｖ−ＦＯＵＲ指標は、中央部のロ−ソクチャ−トおよび下の部分のボラティリティ指標チャ−ト（本実施では、少なくとも１つの分析画面の少なくとも１つの例と関連する１つの第一の説明チャ−トを含む少なくとも１つの第一の補助教材を提供、さらに前記コンピュ−タリアルタイム分析システムによって計算される少なくとも１つの指標シグナルを含む少なくとも１つの分析の画面であることを特徴とすること）と合わせてスクリ−ンの上の部分に示される。図５６に示すように、分析画面は、本ボラティリティにおいて１つの指標のみを示すように調整されている。本明細の教示を読むことで、当業者は、該当する状況下において、トレ−ニング、要件、ユ−ザ−嗜好、入用デ−タなど、そしてＦＸピボットなどの他の指標とロ−ソクチャ−トおよびＶ−ＴＷＯなどとの組み合わせは、十分であることを理解するだろう。好ましくは、それぞれの指標と関連する計算の方法に関する指示の提供を受ける。各種の指標のために使われた計算の表示の例を図４、図５、図６、図７、および図８に示す（本実施では、少なくとも１つの指標シグナルの少なくとも１つの方法に関連する少なくとも１つの第二の説明チャ−トを含む少なくとも１つの第二の補助教材を提供）。
【００７０】
本発明の好ましい実施形態によると、好ましい指示の方法は、個別または組み合わせの指標によって明確化された市場変化情報を解釈する方法の明確化と説明をも含む。図１および２に示すように、シグナル指標であるＶ−ＴＷＯは、市場での変化と明確化し変化が何かを示唆する。
【００７１】
図４２、図４８、図４９、図５０、図５１、図５４、図５５、図５６、図５７、図５８、図５９、図６０、図６１、図６２、おおび図６３に示すように、複数の指標が組み合わせられて、市場変化を明確化し、トレ−ダ−が他の指標に対する各指標を明確化された変化が何を示すかについて確認できる。好ましくは、指示方法は多くの市場変化のシナリオ、および好ましいコンピュ−タリアルタイム分析システムで活用された指標の組み合わせを示す（本実施例では、少なくとも１つの指標シグナルの解釈に関連する少なくとも１つの第三の説明チャ−トを含む少なくとも１つの第三の補助教材を提供）。
【００７２】
本発明の好ましい実施形態によると、好ましい指示方法には、１つか複数の指標によって明確化された市場変化に基づく取引決定指針も提供する。図１９、図２０、図２０Ａ、図２５、図２６、および２９に示すように、指示は、好ましくは、トレ−ダ−がとるべき指南行動、および関連のリスクを提供する。さらに好ましくは、例えば、図２５、および図２６に示すように、指示の方法は、Ｖ−ＴＷＯおよびゴ−ルデンバ−といった複数の指標の使用を提供して、市場の変化、その変化によって指南される行動、予測される市場方向についての示唆、指南行動、および関連するリスクを明確化する（本実施例では、少なくとも１人のトレ−ダ−の取引意思決定を直接導くことに関わる少なくとも１つの第四の説明チャ−トを含む少なくとも１つの第四の補助教材を提供、さらに本実施例では、少なくとも１つの第一の教材、少なくとも１つの第二の教材、少なくとも１つの第三の教材、および少なくとも１つの第四の教材を使用する少なくとも１人のトレ−ダ−の取引意思決定を直接導くことに関わる少なくとも少なくとも１人の指示を提供）。
【００７３】
さらに、本発明の好ましい実施形態によると、好ましいコンピュ−タリアルタイム分析システムで利用されているそれぞれの概念のために提供されているそれぞれの例および説明を網羅する課程は、好ましくは、以下の指導形態のために配布可能な媒体のうちの少なくとも１つので提供される教室での授業、インタ−ネット（オンライン）授業、オフライン授業のために用意される。
− 実習
− セミナ−
− 指導
− 基本概念
− 高度概念
− 双方向参加型
【００７４】
さらに、本発明の好ましい実施形態によると、好ましくは、以下についての生の教室授業およびインタ−ネット利用の授業を実施する。
− 少なくとも１つの実習
− 少なくとも１つのセミナ−
− 少なくとも１つの指導
− 少なくとも１つの双方向参加型トレ−ニング
− 少なくとも１つの基本概念授業
− 少なくとも１つの高度概念授業
【００７５】
概要
Ｖ−ＴＷＯ指標およびＶ−ＦＯＵＲ指標、ドット、ゴ−ルデンバ−、ならびにクリティカルパスは、いずれの取引可能な手段についてでも取り引きの容易性と正確性を好ましい形で向上させるものである。好ましくは、トレ−ダ−は、チャ−トおよび指標を分析する時間を節約し、混乱を防ぎ、より好ましい結果を生み出す。
【００７６】
図６４は、本発明の好ましい実施形態による金融意思決定システムの全体的な構成を示す図である。
金融意思決定システム１００は、好ましくは、図示しているように取引意思決定８１５を実施するにあたり、トレ−ダ−１０５を支援する。市場デ−タ８００は、好ましくは、為替市場からのもの（ＦOＲＥＸ市場として知られている）が好ましくは少なくとも１つのネットワ−クから好ましくはトレ−ダ−１０５に提供される。好ましくは、デ−タ供給器８０３は、図示しているようにトレ−ダ−１０５によって操作されるコンピュ−タ８０６と通信可能な形で接続している。コンピュ−タ８０６は、好ましくは、少なくとも１つのプロセッサ１１２、少なくとも１つのメモリ−１１５、少なくとも１つの入力デバイス１１３（好ましくは少なくとも１つのキ−ボ−ドおよび少なくとも１つのマウス）、少なくとも１つのディスプレイ１１０、および少なくとも１つの出力デバイス１１４（好ましくは、少なくとも１つのプリンタ、および少なくとも１つの他の入力デバイス）を備える少なくとも１つのビジネスクラスのコンピュ−タである。さらに、図示しているように、好ましくは、コンピュ−タ８０６は、コンピュ−タ８０６のメモリ−１１５の中に金融分析ソフトウェア８０９を備える。金融分析ソフトウェア８０９の商標は、ユタ州Ｓａｌt Ｌａkｅ ＣityのＥquis Intｅrnａtiｏnａｌが発売する取引分析ソフトウェアＭｅｔａＳtｏｃk（登録商標）という商標が好ましく、取引分析ソフトウェアＭｅｔａＳtｏｃk（登録商標）バ−ジョン９.１以上を含むのが好ましい。
【００７７】
金融分析ソフトウェア８０９は、図示しているように通信可能な形でデ−タ供給器８０３と接続するのが好ましい。デ−タ供給器８０３は、リアルタイムのデ−タ供給器であるが好ましい。リアルタイムのデ−タ供給器は、典型的なものとして、ユタ州Ｓａｌt Ｌａkｅ ＣityのＥquis Intｅrnａtiｏnａｌより入手できるQuｏtｅＣｅntｅrＴM、または、カリフォルニア州ＨａwyａrｄのIntｅrａｃtiＶｅ Ｄａtａ Ｃｏrpｏrａtiｏnグル−プのｅＳiｇnａｌが提供するｅＳiｇnａｌＴMといったデ−タ供給器およびサ−ビスである。
【００７８】
金融分析ソフトウェア８０９は、好ましくは、図示しているように金融分析ソフトウェア（ＦＡＳ）のためのプラグイン８１２を有する。プラグイン８１２は、好ましくは、ホストアプリケ−ションである金融分析ソフトウェア８０９と相互通信し、デ−タ供給器８０３から受けた市場デ−タ８００を変換し、さらにコンピュ−タ８０６のディスプレイ１１０上に特定の指標、ピボット、注意等の表示に効果を与えて、トレ−ダ−１０５とウィンドウ、ピボット、指標、注意、設定（これらのうちの一部は説明済み）を使って連絡できるようする。図示しているように、このようなプラグイン８１２による市場デ−タの変換の表示によって、トレ−ダ−１０５に、金融意思決定８１５を実行するための支援を提供する。プラグイン８１２は、複数の指標、ウィンドウ、注意等の表示において、市場デ−タの中の変動を手作業での計算によってトレ−ダ−が評価、計算、および分析する（頭の中の処理では不可能）必要をなくしているため、トレ−ダ−１０５を支援するもので、非常に役立つものである。さらに、市場における些細な変化が金銭的に多大な損失をもたらすことを認識することも重要であり、意思決定を使った支援は、金銭の増大ばかりではなく損失の低減のための潜在機能を有する。プラグイン８１２は、プラグイン８１２およびコンピュ−タ８０６を使用しなければ区別不能の市場状況の下で、識別による金融意思決定を実行する際に、トレ−ダ−１０５にとって役立つものである。さらに、プラグイン８１２は、市場参入および市場撤退に際して、トレ−ダ−１０５を支援する。
【００７９】
プラグイン８１２は、本発明で説明する機能を実行する金融分析ソフトウェア８０９およびコンピュ−タ８０６に命令する一式の命令であることが好ましい。さらに好ましくは、プラグイン８１２は、既知の技術の手法（例えば、ＣＤ−ＲOMに.ｅxｅインスト−ラ−ファイルが保存されているか、インタ−ネットから.ｅxｅファイルをダウンロ−ドする）によってコンピュ−タ８０６にインスト−ルされるプラグイン８１２である。プラグイン８１２のインスト−ル後、好ましくは、プラグイン８１２を有する金融分析ソフトウェア８０９は、コンピュ−タ８０６のメモリ−１１５の中にロ−ドされる。この時点で、トレ−ダ−１０５は、プラグイン８１２の機能にアクセスすることができる。
【００８０】
図６５に、プラグイン８１２の明示された機能の一部を図示する。上述のとおり、プラグイン８１２は、好ましくは、ホストアプリケ−ションである金融分析ソフトウェア８０９を修正し、新たな金融分析ソフトウェア製品、およびコンピュ−タハ−ドウェアの新しい装置を作る。好ましくは、プラグイン８１２は、市場デ−タをトレ−ダ−１０５に指摘を送る視認合図に変換する具体的なアルゴリズムを使った計算を提供する。好ましくは、図示しているように、プラグインは、テンプレ−ト６５０１（色とスタイルで構成された事前構成指標とチャ−ト設定）の使用、指標６５０２の表示、確認注意６５２０の設定、ピボット６５１０の記録、設定６５２５の使用、説明ウィンドウ６５０５の表示、方法６５２７の使用（例えば、超長期取引）が可能な多くの機能を提供する。
【００８１】
トレ−ダ−１０５は、プラグイン８１２を有する金融分析ソフトウェア８０９を最初に使用して、取り引きする通貨（プラグイン８１２を有する金融分析ソフトウェア８０９がＲOＲＥＸ市場での取り引きを支援するために使用されるとき）を選択するのが好ましい。上述のとおり、プラグイン８１２は、すべての市場取引手段で使用される。トレ−ダ−１０５は、好ましくは、特定のテンプレ−ト（市場を調査する際にトレ−ダ−１０５を支援するための表示配列の特定の種類）、およびその後に好ましくは金融分析ソフトウェア８０９の標準メニュ−機能を使用するコンピュ−タのメモリ−１１５の中に好ましくはこのテンプレ−トをロ−ドする。さらに、好ましくは、トレ−ダ−１０５は、取引意思決定を実行するための市場チャ−トの説明ウィンドウ（以下に説明）、およびレイアウトを使用する。このような決定は、好ましくは金融ブロ−カ−を通して実世界の中で実施される。また、好ましくは、いくつかの取引事例の中で、指標、説明ウィンドウ、価格プロット（好ましくはロ−ソク足の形態）、市場ボラティリティなどのコンピュ−タ８０６のディスプレイ１１０上に表示される。
【００８２】
説明ウィンドウ
図６６は、本発明の好ましい実施形態による意思決定システムの説明ウィンドウを示す。
説明ウィンドウ６６００は、好ましくは、図示しているようにトレ−ダ−１０５に役立つ複数の指標および計算デ−タを取りまとめ配列する。より詳しくは、説明ウィンドウ６６００は、好ましくは、図示しているように市場アライメント情報を表示する。
【００８３】
説明ウィンドウ６６００は、コンピュ−タ８０６のディスプレイ１１０上に表示されるのが好ましい。さらに、説明ウィンドウは、好ましくは、図示しているように、一般情報６６０３、ＦＸＴＡトレンドティッカ−６６０５、テ−ブル６６１０、サマリ−６６１５、説明６６１７、ＦＸＴＡトレンドティッカ−６６０５を表示し、さらに、図示しているように、ＦＸＴＡシグナル６６２０、トレンドバイアス６６２５、およびトレンドスロ−プ６６３０を有する。
【００８４】
一般情報６６０３は、好ましくは、トレ−ダ−１０５が利用する特定の方法（コンピュ−タメモリ−にロ−ド）、市場取引手段（例えば、カナダドル対スイスフラン）、および好ましくは現在の日時である。
上述のとおり、説明ウィンドウ６６００はＦＸＴＡトレンドティッカ−６６０５を有するのが好ましい。ＦＸＴＡトレンドティッカ−６６０５は、トレ−ダ−１０５の利益のために、直近のある時間間隔の流れを示して、トレ−ダ−１０５が視覚的にトレ−ダ−１０５による金融意思決定の結果から良い効果を得る可能性を高める特定の行為を成すようにトレ−ダ−を導くシグナルを観察できる。さらに、好ましくは、上向き矢印は、強気の市場を示す。また、好ましくは、下向き矢印は、弱気の市場を示す。これらの矢印は、トレ−ダ−１０５によって使用され、直近の短い時間の特定の市場取引手段を示す（すべての１２０分以内の短い時間フレ−ムを分析するのではなく）。
【００８５】
ＦＸＴＡトレンドティッカ−６６０５については、ＦＸＴＡトレンドティッカ−６６０５の好ましい配置を、図６６の好ましくは表６６１０に示す。
トレンドを示すために、そして矢印とわせて色も使用されるのが好ましい。一般的には、緑色が好ましくは強気の状態を示し、緑色が好ましくは強気のトレンドを示し、えび茶色が好ましくは弱気のトレンドを示し、そして赤が好ましくは弱気の状態をします。これらの少なくとも２つの記号（好ましくは矢印の方向おおび色）が、トレ−ダ−１０５の金融意思決定を実施する際に、役立つようにする。
【００８６】
ＦＸＴＡシグナル６６２０は、好ましくは、直近のタイムフレ−ム５つでアライメントが成立したときに表示される売りまたは買いのシグナルであるのが好ましい。さらに、好ましくは少なくとも１つの矢印、または好ましくは少なくとも５つの矢印が表示される。また、好ましくは、「売り」の矢印は、好ましくは赤で、好ましくは下落を指し示す。また、好ましくは、「買い」の矢印は、好ましくは緑で、好ましくは上昇を指し示す。
【００８７】
トレンドバイアス６６２５は、以下に説明する買いまたは売りのリボンと関係する。好ましくは少なくとも１つの矢印、または好ましくは少なくとも５つの矢印が表示される（タイムフレ−ムの最後の数の代表値）。赤の下向き矢印は、好ましくは弱気のバイアスを示す。青の上向き矢印は、好ましくは強気のバイアスを示す。
【００８８】
トレンドスロ−プ６６３０は、好ましくは少なくとも１つの矢印、または好ましくは少なくとも５つの矢印を有する。売りの矢印は、好ましくは赤で好ましくは下を指し示す。買いの矢印は、好ましくは青で上を指し示す。
【００８９】
使用においては、トレ−ダ−１０５は、好ましくは最初に将来の起こりうる市場トレンドについて初期の予測を与えるためにトレンドスロ−プ６６３０を見る。トレ−ダ−１０５は、目的を確認するために他のシグナル（ＦＸＴＡシグナル６６２０およびトレンドバイアス６６２５）を見るのが好ましい。ＦＸＴＡトレンドティッカ−６６０５は、トレ−ダ−１０５が引けに際しての最後の５分間隔の市場を迅速に把握するために手段である。好ましいくは、各項目（ＦＸＴＡシグナル６６２０、トレンドバイアス６６２５、およびドレンドスロ−プ６６３０）は、時間間隔（例えば５分）ごとに更新され、右から左に動く（すなわち、最も左の矢印は時間間隔が進むに従い消え、最も右の矢印は時間間隔が進むに従い表れ、最も右の矢印の位置の直近の時間間隔の現在の市場の状態、および最も右の矢印の左の過去の４つの過去の市場の状態を示す）。
【００９０】
上述のように、説明ウィンドウ６６００は、図示しているように表６６１０を有するのが好ましい。表６６１０は、好ましいくは図示しているように、複数のタイムフレ−ムからの市場トレンドデ−タを有する。好ましくは、以下のタイムフレ−ム６６７０、ステ−タス６６７２、開始６６７４、クロスでのクロ−ズが列に表示される。
【００９１】
タイムフレ−ム６６７０の列は、一目瞭然のものである（図６６のタイムフレ−ムは、月足、週足、日足、７２０分、６６０分、６００分、５４０分、４８０分、４２０分、３６０分、３００分、２４０分、１８０分、１２０分、９０分、６０分、４５分、３０分、１５分、１０分、５分）。ステ−タス６６７２は、好ましくはこのタイムフレ−ムを表示する（買いまたは売り）。好ましいくは、表示されたステ−タストレンドは、弱気の状態で青、強気の状態で赤で示される。６６７４は好ましくは前回のトレンドが発生した時から観察されているバ−の数を示す。クロスでのクロ−ズ６６７４は、好ましくはトレンドが発生した時のクロ−ズの価格を示す。
【００９２】
上述のように、説明ウィンドウ６６００は、好ましいくはさらに、弱気のクロスアライメントが発生したことを見極めるというように、ある市場の質の特定を促進するサマリ−６６１５を有する。サマリ−６６１５は、好ましくは少なくとも１つの市場の条件を明確に記す文である。サマリ−６６１５は、さらに好ましくは１行である。明確かつ１行であることは、トレ−ダ−１０５に金融意思決定において有用性を高める。
【００９３】
さらに、サマリ−６６１５は、好ましくは説明ウィンドウ６６００の下部付近に表示される。サマリ−６６１５の内容は以下のとおりである。
「６６０／９０／６０／５ シグナルアライメントが発生
上げのクロスが少なくとも３つの異なるタイムフレ−ムで発生した（好ましくは緑のフォント）。」
好ましくは少なくとも１つのタイムフレ−ムで、または好ましくは少なくとも４つ（６６０／９０／６０／５）のアライメントの詳細が与えられ、トレ−ダ−は動きの速い市場の中の４つのタイムフレ−ムを観察できる。サマリ−６６１５は、図示しているように好ましくは最後のタイムフレ−ム（５分のタイムフレ−ム）、および好ましくは説明６６１７の上に配置される。
好ましくは、説明ウィンドウ６６００は、サマリ−６６１５の詳しい説明を含む説明６６１７を有し、さらに、トレ−ダ−１０５にどのタイムフレ−ムが対象のタイムフレ−ムかを示す。図６６では、対象フレ−ムは、１０分である。
【００９４】
本明細書の教示を読むことで、当業者は、該当する状況において、市場取引手段のように取引される証券を考慮する際、トレ−ダ−の成績、取引アルゴリズムでの現状打破、単独か組み合わせか問わない他の説明ウィンドウ要素で、時間、価格、日付、フロ−ティングポイントタ−ゲット、クロスの高値、クロスの安値、クロスの始値、週高値、月高値、週安値、週高値、日高値、年高値、四半期高値、年高値、キ−レベル、前日始値、前日高値、前日安値、前日終値、前日スイング高値、前日スイング安値、前週スイング、前週スイング高値、前週スイング安値、前週終値、前月スイング高値、前月スイング安値、前月終値、日二番底、日二番天井、週二番底、週二番天井、市場心理ラベル（１,０００ポイントでのＤOWなど）、当年高値、当年安値、常時高値、常時安値、フィボナッチレベル等で十分であることを理解することであろう。
【００９５】
いったん対象のタイムフレ−ムが明確化されると、トレ−ダ−１０５によってテンプレ−トが好ましく選択され、コンピュ−タのメモリ−１１５の中にロ−ドされて市場を表示するのが好ましい。１つのスクリ−ン構成を図６３に示す。これは、好ましくは、ＦＸトレ−ダ−のメリットチャ−ト６３００（図６３の左上のパネル）、ロ−ソク足相場プロット（図６３の左中のパネル）、市場ボラティリティチャ−ト（図６３の左下のパネル）、５分チャ−ト（図６３の右上のパネル）、１０分チャ−ト（図６３の５分チャ−トの下のパネル）、１５分チャ−ト（図６３の中央のパネル）、３０分チャ−ト（図６３の１５分チャ−トの下のパネル）、６０分チャ−ト（図６３の右下パネル）を含む。
【００９６】
指標
プラグイン８１２は、好ましくは、トレ−ダ−１０５に役立つ指標６５１５（図６５を参照）を表示する。指標には、好ましくは、週ピボット、６０分ピボット、日ピボット、ＦＸＴＡ指標、簡易ＦＸＴＡ指標、トレンドバイアス、トレンドスロ−プ、マ−ケットボラティリティ、５分、１０分、１５分、３０分、４５分、６０分の買いシグナル、５分、１０分、１５分、３０分、４５分、６０分の売りシグナル、および本明細書で取り上げた他の要素を含む。一般に、同じシグナルが少なくとも３つのタイムフレ−ムで発生した時、およびシグナルが前の３つのタイムフレ−ムよりも短い次のタイムフレ−ムで発生したことを確認した時に、アライメントが発生する。
【００９７】
図６７Ａ、６７Ｂ、６７Ｃは画面の例で、図１の好ましい実施形態に従った少なくとも１つのマ−ケットチャ−ト６７０５を示す。
マ−ケットチャ−ト６７０５は、好ましくは、図示している少なくとも１つのマ−ケット指標６７０７、好ましくは、ピボットライン６７１０、好ましくは、交互に少なくとも１つのＦＸＴＡ指標６７１０、好ましくは、交互に少なくとも１つのロ−ソク足６７４０、好ましくは、交互に少なくとも１つの買い矢印６７６０、好ましくは、交互に少なくとも１つの売り矢印６７６５、好ましくは、交互に少なくとも１つのボラティリティ指標６７７０、好ましくは、交互に少なくとも１つの親指立て指標６７８０、好ましくは、交互に少なくとも１つの親指下げ指標６７８５、および好ましくは、交互に少なくとも１つの買いまたは売りのリボン６７７５（トレンドバイアス）を有する。本明細書を読むことで、当業者は、該当する状況下において、ユ−ザ−の好みを考慮して、将来の判断材料、例えば需給指標、ＰＳＴOＣＨ指標、および色つきマ−ケット指標といった他のマ−ケット指標が十分であることを理解することだろう。
【００９８】
ボラティリティ指標６７７０は、好ましくは、市場の相場が通常のスイングよりも大きい時に示され、好ましくは、ヒストグラム状の形で表示される（図６７Ａの下のパネルを参照）。好ましくは、マ−ケットボラティリティは、相場トレンドを示すために使用される。
【００９９】
親指立て指標は６７８０および親指下げ指標６７８５は、好ましいくは、それぞれ買いおよび売りの指標であり、好ましいくは、マ−ケットチャ−ト６７０５のタイムフレ−ム６７２０の中にある。市場の状況が参入ポイント（買い条件）または撤退ポイント（売り条件）を示すようになっていれば、マ−ケットチャ−ト６７０５は、好ましくは、それぞれ親指上げ指標６７８０または親指下げ指標６７８５を示す。本明細書を読むことで、当業者は、該当する状況下において、ユ−ザ−の好みを考慮して、費用、市場に受け入れられている指標など、および、例えば色付き矢印、縦線、進行または停止の印などの１つのタイムフレ−ムの買いまたは売りの条件に対する他の買いまたは売りの指標が十分であることを理解することだろう。
【０１００】
買い矢印６７６０および売り矢印６７６５は、それぞれ買い指標および売り指標であることが好ましい。しかし、買い矢印６７６０および売り矢印６７６５は、好ましくは、複数のタイムフレ−ム６７２０の中で好ましくはマ−ケットチャ−ト６７０５のタイムフレ−ム６７２０を含み市場の状況がそれぞれ参入ポイントまたは撤退ポイントを示すようになっていれば、好ましくは表示される。よって、買い矢印６７６０および売り矢印６７６５は、好ましくは複数のタイムフレ−ムマ−ケットトレンドのリアルタイムの指標で、親指上げ指標６７８０または親指下げ指標６７８５によって示される１つのタイムフレ−ムマ−ケットトレンドよりも強い傾向を示す。当業者は、該当する状況下において、ユ−ザ−の好みを考慮して、費用、市場に受け入れられている指標など、および、例えば色付き矢印、縦線、進行または停止の印などの複数のタイムフレ−ムの買いまたは売りの条件に対する他の買いまたは売りの指標が十分であることを理解することだろう。
【０１０１】
マ−ケットチャ−ト６７０５は、好ましくは図６７Ｂと６７Ｃに示す５分タイムフレ−ム６７３５、好ましくは図６７Ａに示す交互に６０分タイムフレ−ム、好ましくは交互に１日タイムフレ−ムを含む少なくとも１つのチャ−トタイムフレ−ム６７３０を有することが好ましい。チャ−トタイムフレ−ム６７３０は、好ましくは、マ−ケットチャ−ト６７０５を更新するスピ−ド（すなわち、５分ごとに５分タイムフレ−ムの更新）を決める。当業者は、該当する状況下において、利用可能な市場デ−タおよびユ−ザ−好みなどを考慮して、例えば１処理タイムフレ−ム、１分タイムフレ−ム、１０分タイムフレ−ムなどの他のチャ−トタイムフレ−ムが十分であることを理解することだろう。
【０１０２】
ピボットライン６７１０は、少なくとも１つのピボットポイント６７１５から導かれることが好ましい。ピボットライン６７１０は、好ましいくは６０分タイムフレ−ム６７２２、好ましいくは交互１日タイムフレ−ム６７２４、好ましいくは交互１週タイムフレ−ム６７２６、好ましくは交互１ヶ月タイムフレ−ム６７２８を含む図示している１つのタイムフレ−ム６７２０を有する。タイムフレ−ム６７２０は、チャ−トタイムフレ−ム６７３０よりも大きいのが好ましい。マ−ケットチャ−ト６７０５は、図示しているように、タイムフレ−ム６７２０の少なくとも１つの時間期間２９３５であって、好ましくは１つの時間期間６７３５、または、好ましくはタイムフレ−ム６７２０の複数の時間期間２９３５である。ピボットライン６７１０は、好ましくは、図示しているようにタイムフレ−ム６７２０の１つの時間期間２９３５を越えるピボットポイント６７１５を示す。ピボットライン６７１０は、好ましくは、タイムフレ−ム６７２０の各時間期間２９３５のために計算される。当業者は、該当する状況下において、チャ−トタイムフレ−ム、利用可能な市場デ−タおよびユ−ザ−好みなどを考慮して、例えば１年、３０分、２時間などの他のタイムフレ−ムが十分であることを理解することだろう。
【０１０３】
図６８は、計算チャ−トを示し、図１の好ましい実施形態によるピボットポイント６７１５の好ましい計算方法６８００を図示する。ピボットポイント６７１５は、好ましくは、図示しているように少なくとも１つのタイムフレ−ム間隔６８３０、好ましくはタイムフレ−ム６７２０の中にすべてのピボットポイント６７３５を含む、少なくとも１つのピボットポイント６７３５の平均を使用して計算を行う。時間間隔６８３０は、好ましくは、図示しているようにフレ−ム６７２０より短い時間、好ましくはタイムフレ−ム６７２０と１処理の間の時間を有する。加えて、タイムフレ−ム６７２０は、好ましいくは、時間間隔６８３０によって均等に分けることができる。出願人は、ピボットライン６８１０が、将来の市場状況を示すために、より小さい間隔６８３０を備えて、より正確になることを決定する。好ましくは、計算のために選択されたタイムフレ−ムは、トレ−ダ−が設定できることとする。出願人は、先物を取り引きするために、３分のタイムフレ−ムを好む。図６８に、好ましい通貨の取り引きのための５分タイムフレ−ムを示す。
【０１０４】
ピボットポイント６７３５は、好ましいくは下の式１.０を使用して計算される。
(Ｈ + Ｌ + Ｃ) ／ ３     １.０
Ｈがタイムフレ−ム間隔６７３０中の最高値６８１０である時、Ｌはタイムフレ−ム間隔６７３０中の最安値であり、Ｃは、タイムフレ−ム間隔６７３０の終値６８２０である。
【０１０５】
図示しているように、計算方法６８００と、すべてのタイムフレ−ム６７２０に式１.０を使ったピボットポイントの計算とを比較すると、差異６８４０が表れる。出願人は差異６８４０が、特に他のマ−ケット指標６８０７と共にピボットライン６８１０を使用した時の市場価格を予測する時に顕著になることを見いだす。
【０１０６】
タイムフレ−ムシフトして、ピボットの計算はシフトすることに注意が必要である。最後のタイムフレ−ムのピボットポイントは低下し、直近のタイムフレ−ムのピボットポイントが加えられる。平均値は、各時間間隔で計算され、新しい平均が決められる。この「新しいタイムポイントが入り、最後のタイムポイントが去る」というシステムにより、デ−タは時間の経過に伴い進み、表示が最も新しいものとなる。
【０１０７】
ピボットライン６７１０に加えて、少なくとも１つの抵抗ライン３８５０および少なくとも１つの支持ラインが、好ましくは抵抗ポイント（Ｒ１、Ｒ２、Ｒ３など）および好ましくは支持ポイント（Ｓ１、Ｓ２、Ｓ３など）を使用して記されるのが好ましい。抵抗ポイントおよび支持ポイントは、ピボットポイント３８１５を使用して計算されるのが好ましい。
以下の式２.１、２.２、２.３に抵抗ポイントの計算を示す。
Ｒ１ = (２＊ピボット) − Ｌ    (２.１)
Ｒ２ = (ピボット−Ｓ１) + Ｒ１     (２.２)
Ｒ３ = (ピボット−Ｓ１) + Ｒ２    (２.３)
以下の式３.１、３.２、３.３に支持ポイントの計算を示す。
Ｓ１ = (２＊ピボット)−Ｌ   (３.１)
Ｓ２ = ピボット −(Ｒ２−Ｓ１)     (３.２)
Ｓ３ = ピボット −( Ｒ１−Ｓ２)     (３.３)
【０１０８】
抵抗ライン３８５０は、好ましくは、上向きのマ−ケットスイングが、抵抗が続くことに直面し、方向が逆になる少なくとも１つのポイントで示される。支持ライン３８５５は、抵抗ライン３８５０と同様に、逆進が起こる少なくとも１つのポイントで示されるが、支持ライン３８５５は、下向きのマ−ケットスイングに対してマ−ケットの支援を示す。
【０１０９】
トレ−ダ−の一部は、抵抗ライン３８５０および支持ライン３８５５と共にピボットライン３８１０の平滑化を好む。平滑化は、好ましくは、ピボットライン３８１０、抵抗ライン３８５０、および支持ライン３８５５に適用される。平滑化は、少なくとも１つの前のピボットポイント３８１５、好ましくは複数のピボットポイント３８１５を使用して、移動平均を行う。
【０１１０】
計算方法６８００を使用してピボットポイント３８１５のより正確な特性により、平滑化はさらに正確となることが好ましい。
図６９は、ピボットライン交差グラフで、図１に示す好ましい実施形態に従ったピボットラインとピボットラインの交差を示す。
【０１１１】
少なくとも１つのピボットラインとピボットラインの交差４２６０は、主要な指標として使用されるのが好ましい。ピボットラインとピボットラインの交差４２６０は、ピボットライン４２１０の少なくとも１つの交差を有するが、好ましくは、図示しているように少なくとも２つの異なるタイムフレ−ム６７２０（図６９の６０分ピボットラインと日ピボットライン)を含む。ピボットラインとピボットラインの交差４２６０は、多くのチャ−トタイムフレ−ム６７３０（５分、３０分、６０分など)に好ましくは適用される。
【０１１２】
ピボットラインとピボットラインの交差４２６０は、好ましくは、図示しているように少なくとも１つの短いタイムフレ−ムライン６９７０、および少なくとも１つの長いタイムフレ−ムライン６９７５を有する。図示しているようにポイントＢで、より負の方向で、短いタイムフレ−ム６９７０が長いタイムフレ−ム６９７５と交差すると、より強い下向きの動きを示す。このことは、２つの異なるピボットライン４２１０のタイムフレ−ム６７２０のペアに当てはまる。短いタイムフレ−ムピボットライン６９７０は、長いタイムフレ−ムピボットライン６９７５が交差する時に、常に方向を示す。
【０１１３】
図７０に図を示し、図１の好ましい実施形態による少なくとも１つの連続時間期間指標２９２０を示す。ピボットライン６７１０は、好ましくは、時間期間５２３５を横切るピボットポイント６７１５のグラフである。その結果、ピボットライン６７１０は、好ましくは、隣接する時間期間５２３５のピボットポイント６７１５間の各差異５２３０をグラフに示す。
【０１１４】
図７０に、ピボットライン６７１０が、ポイントＡとポイントＢの間の長いタイムフレ−ム６７２０のもう１つのピボットライン６７１０を交差することが示される。図６９の考察で示されているとおり、このことは、動き７０３７が顕著に上向きであることを示す。時間経過に伴い、ポイントＣとＤ、ポイントＥとＦ、ポイントGとＨの差異は、図示しているようにより小さくなっている。連続時間間隔５２３５に渡る、この差異７０３０の減少は、好ましくは、動き７０３７の弱まりを示す。ポイントIとKの差異は負であって、この弱まりを示す。そのため、連続時間間隔５２３５の差異７０３０のばらつきは、好ましくは、図示しているように動き７０３７の強さの変化を示す。
【０１１５】
交差は、動き７０３７の強まりおよび弱まりの両方に当てはまる。さらに、この交差は、上向きの動きと下向きの動きの両方に当てはまる。
図７１に図を示し、図１の好ましい実施形態によるＦＸＴＡ指標３８１０がピボットライン６７１０との交差を示す。
【０１１６】
ピボットライン６７１０を引くと、連続時間期間５２３５は、ほぼ等しい値をとる。これらが起こると、ＦＸＴＡ指標３８１０は、ピボットライン６７１０に落ち着くかその中に入り、それぞれ、強い補強か抵抗を形成する。これは、好ましくは、図示しているように、上にＦＸＴＡ指標３８１０を伴う下げから上げ、下にＦＸＴＡ指標３８１０を伴う上げから下げのいずれかから市場取引手段を移行させるための状況を示す。この状況は効果的に、好ましくは、市場の反転を示す。ピボットラインの底打ち（谷)は、「乗換駅」という用語で作られ、市場において、上げから下げまたはその逆からの移行が来ることを意味するものである。本質的に、「乗換駅」を観察するには、ピボットラインの顕著な低下、および少なくとも２つのタイムフレ−ム５２３５の本質的な水平位置が存在しなければならない。以上をまとめると、ピボットラインの低下があり、本質的な水平位置（平坦化)が続くと、上げから下げまたはその逆から変化が期待される。プラグイン８１２は、好ましくは、水平部分でピボットラインプロットを確認する。トレ−ダ−が売り待ちする場合、トレ−ダ−は、好ましくは、売り待ちを終えて立場を変える。この方法を使用して、トレ−ダ−１０５は、本質的に上げから下げまたはその逆の移行を予測できる。
【０１１７】
修正パラボリックＳＡＲ
パラボリックＳＡＲは、ストップアンドリバ−ス指標と呼ばれ、買い待ちまたは売り待ちのためのトレ−リング相場を設定する指標である。一般に、トレ−ダ−は、トレンドを確立して、トレンドの流れの中でパラボリックＳＡＲを使い取り引きを行う。パラボリックＳＡＲが、点線で引かれると、価格を下回る点線は、買い待ちに対してトレ−リングストップを形成し、価格を上回る点線は、売り待ちに対してトレ−リングストップを形成する。動きの開始時、パラボリックＳＡＲは、価格とトレ−リングストップとの間の有効な緩衝を提供する。動きが進むに従い、価格と指標との間の距離は縮まり、好ましい方向での価格の動きとしてストップとロスをより狭くする。ＳＡＲでは、２つの変数である「ステップ」と「最大ステップ」が重要視される。ステップの設定が高いほど、指標の価格に対する変化がより敏感となる。ステップが高すぎると、指標は、価格の上か下で頻繁に変動して、解釈が難しくなる。
【０１１８】
最大ステップは、相場の動きとしてのＳＡＲの加減をコントロ−ルする。最大ステップの設定が小さいほど、トレ−リングストップの価格の形成が遠くなる。一般的なステップの設定は、０.０２である。一般的な最大ステップの設定は、０.２０である。
【０１１９】
出願人は、トレ−ダ−１０５にとって関心のある市場取引手段に基づいてステップ値をカスタム値に修正することの重要性に気づいた。 例えば、出願人は、下記の方法を使用して、イギリスポンドのステップが０.２０ではなく０.７５のときに最も有効であると判断している。 この方法は以下の手順を含む。まず、取引対象の市場取引手段が選択される。次に、選択された市場取引手段の行動を観察するタイムフレ−ムが選択される。次に、確認された動き（例えば、ＦＸＴＡ指標のクロス）に似たＳＡＲのステップ値が選択される。 この望ましい方法を使用すると、特定の市場取引手段に対してＳＡＲのより正確な値を確定できる。 本明細の教示を読むことで、当業者は、該当する状況下において、市場取引手段の人気度、市場取引手段に関するデ−タを取得できる能力などの問題の検討、および望ましいステップ値のチャ−トの確定、過去のパフォ−マンスに基づいたアルゴリズム的なステップ値の修正などＳＡＲ値を確定するその他の方法が十分であることを理解するだろう。
【０１２０】
図７２は、出願人のＳＡＲカウント方法を示す市場チャ−トのスクリ−ンショットである。 金融意思決定システム１００およびプラグイン８１２は、好ましくは、修正されたＳＡＲ放物線をコンピュ−タ１８６のディスプレイ１１０上にプロットする。 プロットされたＳＡＲは、市場チャ−ト上に個別のドット７２００として表示される。 プロットされたＳＡＲ放物線は、好ましくは、トレ−ダ−１０５が注目しやすくなるように色付きで表示される。 以下のＳＡＲカウント方法および指標を使用して、短期市場の動向の予測は、特定のタイムフレ−ム内のＳＡＲポイントに基づき、さらに好ましくは、連続サイクルで上部ＳＡＲカウント７２８０を下部ＳＡＲカウント７２８２と比較することで実行できる。 上部ＳＡＲカウント７２８０を下部ＳＡＲカウント７２８２と比較し、好ましくは、プラグイン８１２とコンピュ−タ８０６で計算することによって、反対のサイクルまたは逆のサイクルにおけるトレンド動向の次回の予測強度が、好ましくは、トレ−ダ−１０５によって使用されるコンピュ−タ８０６上に表示される。 望ましい方法では、特定のタイムフレ−ムにおけるＳＡＲポイント数がカウントされる。 前述の、図７２で示されているような表示を行うために、以下の内容が観察された。
ＳＡＲポイント位置のタイムフレ−ム数
Ａ３の下部
Ｂ１２の上部
Ｃ６の下部 
Ｄ３の上部
Ｅ４の下部
Ｆ２０の上部
Ｇ９の下部
Ｈ４の上部
Ｉ９の下部
Ｊ２の上部
Ｋ１４の下部
【０１２１】
次に、好ましいＳＡＲカウント方法で、ＳＡＲポイントの最高値と最安値が比較される。好ましくは、プラグイン８１２は、この情報の処理をコンピュ−タ８０６に指示する命令を有する。好ましくは、２つの連続する下部ＳＡＲカウント７２８２が比較される。 図７２では、ポイントＡの下部ＳＡＲカウントは３つ、ポイントＣの下部ＳＡＲカウントは６つで、ＳＡＲカウントが３つ増加した。 この増加は、買いトレンドの増加を示す。 さらに、ポイントＢの上部ＳＡＲカウントは１２であった。 出願人の方法を使用すると、ポイントＤの上部ＳＡＲカウントは１２より低い値である３になると予測される。 最初は、少なくとも３つのポイント、つまり、少なくとも２つの上部ＳＡＲポイントと少なくとも１つの下部ＳＡＲポイント（または、２つの下部ＳＡＲポイントと少なくとも１つの上部ＳＡＲポイント）が必要となる。この分析は、３つのポイントが見られるどの場所でも開始できることに注意されたい。 最初の判断が行われた後、直近の２つの上部ＳＡＲポイント間でのトレンドが、好ましくは、直近の２つの下部ＳＡＲポイント間でのトレンドと比較される。
【０１２２】
ポイントＣからポイントＤにかけて、買いトレンドは下降している（６つの下部ＳＡＲカウントが４つの下部ＳＡＲカウントに減少している）。 買いトレンドの下降が観測されるため、上部ＳＡＲカウントの増加が予想される。 ポイントＦでは、上部ＳＡＲカウントが２０であることが観測される（ポイントＤの３から増加）。
売りトレンドと買いトレンドの両方が下降している状況では、市場は平衡状態で安定することが予想される。
【０１２３】
上部ＳＡＲカウントまたは下部ＳＡＲカウントがピボットラインを突き抜けた場合には、予想がより正確になり、取り引きの損失が避けられる。 原則として、出願人は、下降傾向にあるＳＡＲカウントに大幅な減少がある場合には、上昇傾向にあるＳＡＲカウントも増加すると判断および証明している。 図７３、７４、および７５は、修正されたＳＡＲ放物線とＳＡＲカウントのスクリ−ンショットおよび説明である。
図７４は、追加の計算がトレ−ダ−１０５のためにコンピュ−タ８０６上に表示されているところを示すのが好ましい。
【０１２４】
特定のタイムフレ−ムにおける上部ＳＡＲカウントの値が合算され、負の数として表示されるのが好ましい。 好ましくは、下部ＳＡＲカウントの値が合算され、図に示されているように、正の数として表示される。 その後、これらの合算値の結果が加算される。 結果は正の数または負の数となる。 最終結果が負の数の場合、市場は売り手によって支配されていることが予測される。 最終結果が正の数の場合、市場は買い手によって支配されていることが予測される。 好ましくは、経時的な変化が比較され、支配されているトレンドに動きがないのかあるのかが判断される。
【０１２５】
垂直線指標
図７６、７７、および７８は、本発明の望ましい実施形態による垂直線指標を示すスクリ−ンショットである。 好ましくは、指標が計算される場合、プラグイン８１２が好ましくはコンピュ−タ８０６に命令するか、または金融分析ソフトウェアが好ましくはコンピュ−タ８０６に命令し、市場に適した条件下における市場チャ−トの上部付近から市場チャ−トの下部付近にわたって、好ましくは、垂直線がディスプレイ１１０上に図示される。
【０１２６】
図７６は、売りポイント７６０３に表示されている売りの垂直線指標７６０２（黒色の実線、ただし、好ましくは色付きで、好ましくは赤色）を示す。 図７６は、売りポイント７６０６に表示されている売りの垂直線指標７６０２（黒色の実線、ただし、好ましくは色付きで、好ましくは赤色）を示す。 図７６は、買いポイント７６１０に表示されている金色の垂直棒線指標７６０９（点線、ただし、好ましくは色付きで、好ましくはゴ−ルド）も示す。 図７６は、買いポイント７６１３に表示されている青緑色の垂直棒線指標７６１２（二点鎖線、ただし、好ましくは色付きで、好ましくは青緑色）も示す。 好ましくは、垂直線の表示設定はトレ−ダ−による設定が可能であり、また、好ましくは、あらかじめ定義された設定がトレ−ダ−１０５に提供される。
【０１２７】
図７７は、市場のロ−ソク足チャ−ト上およびＦＸＴＡトレ−ダ−のメリットチャ−ト上での売り線指標７６０２を示す。
図７８は、ＦＸＴＡトレ−ダ−のメリットチャ−ト上での売り線指標７６０２、買い線指標７６０６、金色の棒線指標７６０９、および青緑色の棒線指標７６１２を示す。
【０１２８】
図７６、図７７および図７８は、本発明の好適な実施形態による縦線指標を示すスクリ−ンショットを示す。好ましくは、指標が算出されるとき、好ましくは、プラグイン８１２が、コンピュ−タ８０６に、あるいは、好ましくは、金融分析ソフトウェアが、コンピュ−タ８０６に、スプレイ１１０上で、市場頂部辺りからチャ−ト下部まで市場で満たされる条件で好ましくは縦線をグラフィック表示するように指示する。
【０１２９】
図７６は、売り時点７６０３にて表示された縦線売り指標７６０２(中実黒線、ただし、色つき、好ましくは赤色）を示す。図７６は、買い時点７６０７での縦線買い指標７６０６(破線、ただし色つき、好ましくは緑色）も示す。図７６は、買い時点７６１０(点線、好ましくは色つき、好ましくは金色）での金色棒縦線指標７６０９も示す。図７６は、買い時点７６１３(点線、好ましくは色つき、好ましくは青緑色）での青緑色棒縦線指標７６１２も示す。好ましくは、縦線表示設定は、トレ−ダ−設定可能であるか、あるいは、好ましくは予め構成されたトレ−ダ−が設定がトレ−ダ−１０５に提示される。
【０１３０】
図７７は、市場ロ−ソク足チャ−ト(スクリ−ンショット下部パネル）上、および、ＦＸＴＡトレ−ダ−優位性チャ−ト(スクリ−ンショット上部パネル）上の売りライン指標７６０２も示す。
図７８は、ＦＸＴＡトレ−ダ−優位性チャ−ト上での売りライン指標７６０２、売りライン指標７６０６、ゴ−ルデンバ−ライン指標７６０９および青緑色バ−ライン指標７６１２を示す。
【０１３１】
超長期取引
プラグイン８１２は、特定の市場ビ−クルについて、好ましくは超長期取り引きについて市場にトレンドがあるか否かをトレ−ダ−が立証するのを援助する認識指標を含むことが好ましい。関連の方法も本明細書で説明する。好ましくは、このような指標および関連の方法は、長期取引、スイングトレ−ドおよび自動貿易法も使用可能である。このス−パ−長期取引指標は、好ましくは、大きな金額(例えば、バンクが取り扱う金額）を取り扱うエンティティによる決断に最も有用である。好ましくは、通貨(または市場ビ−クル）は、月別表示期間基準(または好ましくは四半期または年単位）でスキャンされる。
【０１３２】
超長期取引法を実行するために、プラグイン８１２を含むソフトウェア８０９は、好ましくは月別デ−タを使用して、好ましくは約３６ヵ月のデ−タを使用して好ましくは金融分析全ての通貨をスキャンする。金融分析ソフトウェア用プラグイン８１２を含む金融分析ソフトウェア８０９は、好ましくは最高点を見つけ、その後、好ましくは３６ヵ月を「振り返って」、その月の高値を見つけて、好ましくは計算機的に当月の高値と比較する。超長期取引の基準は、以下の通りである。
当月高値>前月高値(例えば、先の３年前の月）、
当月高値>前月安値(例えば、先の３年前の月）、
当月３バ−単純移動平均値>前月(例えば、先の３年前の月）３バ−単純移動平均値、
前年より少なくとも４％高い、または前月安値(例えば、３年前の月）より少なくとも１２％高い当月高値。
【０１３３】
上記の好適な条件が満たされた場合、トレ−ダ−１０５は、さらに信頼をもって超長期取り引きを行うことができる。好ましくは、記載した第４の状態の百分率は、トレ−ダ−、ユ−ザ−定義可能である。
図７９は、本発明の好適な実施形態による超長期取引法を示すスクリ−ンショットを示す。好ましくは、市場チャ−トは、月別市場チャ−トである。好ましくは、当月８６０５および前月８６１０は、図示するように、好ましくは縦線で表示される。この時点で、プラグイン８１２を含む金融分析ソフトウェア８０９は、トレンドラインを確立する。図７９に示すように、プラグイン８１２を含む金融分析ソフトウェア８０９は、安値が増加中であり（すなわち、高めの安値）、トレンドラインＣ−Ｄにより当月安値と結ぶことができる（トレンドラインＣ−Ｄは、図７９では破線であり、安値は、ＣＩ、Ｃ２、Ｃ３として図示）状態（連続的または非連続）を見つける。トレンドラインは、当技術分野で公知である方法を用いてプロットされる。ここで、トレ−ダ−１０５は、現在の状態をトレンドと視覚的に比較することができる。現在の状態がトレンドラインより上方にある場合、通貨終値は監視中の月のトレンドラインＣ−Ｄの値以上でなければならない。現在の状態がトレンドラインより下方にある場合、通貨終値は監視中の月のトレンドラインＣ−Ｄの値より低くなければならない。出願人は、月の終値を検討しなければならない点に注目している。
【０１３４】
しかしながら、月中に、トレンドラインが日の終り値により破られた場合、好ましくは、トレ−ダ−１０５は当日終値がトレンドライン値を貫入し、かつ、好ましくは、トレンドラインの下部または当月の安値の下に停止を置かなければならないとしたと注意を喚起されなければならない。
【０１３５】
安値が増加中である状態がない場合、以下が実行されることが好ましい。プラグイン８１２を含む金融分析ソフトウェア８０９は、好ましくは、最低の安値（例えばＡ１）を有した月を見つけ、また、トレンドライン（「推進線」ともいう、トレンドラインＡ−Ｂと図示）で結ぶことができるさらなる２ヵ月（例えばＡ２およびＡ３）を見つける。
【０１３６】
「第１のトレンドライン」が確立される（図７９のトレンドラインＣ−Ｄ）と、トレンドラインに基づいて、特定の市場ビ−クルに対する市場への好適な記入手順が次に行われる。好ましくは、価格は、このトレンドラインより上方である。好ましくは、５分の表示期間の終値は、このトレンドラインより上方である。好ましくは、ＦＸＴＡアライメントに基づく「買い」シグナルが少なくとも１つある（いくつかの前の「買い」シグナルのほうが好適）、好ましくは、記入日終了時に、その日の終値は、トレンドラインより上方で終わる。好ましくは、記入日終了時に、停止は、記入中に好ましくはトレンドラインより下方にある。記入時に、終値は、オ−プン価格より好ましくは高くて、好ましくは、ＦＸＴＡボラティリティが増加中である（図７９の下部パネルを参照）。
【０１３７】
現在の状態に基づいて、特定の市場ビ−クルに対して市場への好適な記入手順が次に行われる。記入時に、価格は好ましくはＦＸＴＡ日別ピボットより上方にあるか、または、ピボットプロット（図６７Ｃを指す）のサポ−トより上方にあり、ＦＸＴＡ説明ウィンドウにおいて、推進は好ましくは増加中である（あるいは、好ましくは、見込買いの場合、青緑色棒指標が好ましくは使用され、あるいは、好ましくは、思惑売りの場合、ゴ−ルデンバ−指標が好ましくは使用され、あるいは、好ましくは、ピボット、Ｆｉｂｏｎａｃｃｉ指標、クラスタ、逆ロ−ソク形成、ＦＸＴＡ中ピボット線、ダイヤモンド（点）理論がを用いることができる）。
【０１３８】
推進線（トレンドラインＡ−Ｂ、実線）に基づいて、特定の市場ビ−クルに対して市場への好適な記入手順が、次に行われる。好ましくは、価格は、この推進ラインより上方である。好ましくは、５分の表示期間の終値は、この推進ラインより上方である。好ましくは、ＦＸＴＡアライメントに基づく「買い」シグナルが少なくとも１つある（いくつかの前の「買い」シグナルのほうが好適）、好ましくは、記入日終了時に、その日の終値は、推進ラインより上方で終わる。好ましくは、記入日終了時に、停止は、記入中に好ましくは推進ラインより下方である。記入時に、終値は、オ−プン価格より好ましくは高くて、好ましくは、ＦＸＴＡボラティリティが増加中である（図７９の下部パネルを参照）。
【０１３９】
この推進線記入方法により、好ましくは、「第１のトレンドライン」方法よりシグナルが早く、かつ、出口シグナル多く、出願人の意見としては、この推進線記入方法のほうが、効率的な方法である。
図８０は、本発明の好適な実施形態による、ピ−ク点および綾戻し記入を示すスクリ−ンショットを示す。図８１に対して説明される方法は、超長期トレ−ダ−にも有用であると考えられる。この方法では、好ましくは３年の基準点は好ましくは確立される。プラグイン８１２を含む金融分析ソフトウェア８０９は、その後、最も近い３つの安値（［高めの安値、Ｃ１、Ｃ２およびＣ３）を探す。その後、金融分析ソフトウェア用プラグイン８１２を含む金融分析ソフトウェア８０９は、Ｃ１、Ｃ２およびＣ３より早いさらなる高めの安値を探す］。図８２に示すように、金融分析ソフトウェア用プラグイン８１２を含む金融分析ソフトウェア８０９は、高めの安値Ｅ１、Ｅ２およびＥ３を見つけた。次に、金融分析ソフトウェア用プラグイン８１２を含む金融分析ソフトウェア８０９は、トレンドライン（図８２ではトレンドラインＥ−Ｆと図示）を確立した。ピ−クポイント、Ｐ１、Ｐ２、Ｐ３、Ｐ４は、好ましくは出口点である。
【０１４０】
３バ−移動平均値から金融分析ソフトウェア用プラグイン８１２を含む金融分析ソフトウェア８０９は、好ましくは観察区域内の最高点を見つける。好ましくは、トレ−ダ−１０５のために、以下の好適な列を含む表が確立かつ表示する。
列１  現在ピ−ク点値、Ｐ４
列２  ピ−ク点値Ｐ３
列３  ピ−ク点値Ｐ２
列４  はいまたはいいえの書式でＰ４>Ｐ３>Ｐ２であるかどうかを示す。
列５  ピ−ク点がトレンドラインＡ−Ｂからどのくらい離れているか示す（ピ−ク点が確立されている月において）。好ましくは、のみＰ４を考慮するべきである。
列６  ピ−ク点Ｐ４がトレンドラインＣ−Ｄからどのくらい離れているか示す。
列７  ピ−ク点Ｐ４が保守的トレンドラインＥ−Ｆからどのくらい離れているか示す。
列８  現在バイアス（青色または赤色）を示す。
【０１４１】
綾戻し記入に対して、３棒移動平均から、プラグイン８１２を含む金融分析ソフトウェア８０９は、観察区域における低い綾戻しを見つける。以下の列は、好ましくはトレ−ダ−による閲覧用に確立される。
列１  現在綾戻し点値、Ｒ３
列２  綾戻し点値Ｒ１
列３  綾戻し点値Ｒ２
列４  はいまたはいいえの書式でＲ３>Ｒ２>Ｒ１であるかどうかを示す。
列５  綾戻し点が推進ラインＡ−Ｂからどのくらい離れているか示す（綾戻し点が確立されている月において）。好ましくはＲ３のみを考慮するべきである。
列６  綾戻し点Ｒ３がトレンドラインＣ−Ｄからどのくらい離れているかを表示する。
列７  綾戻し点Ｒ３が保守的トレンドラインＥ−Ｆからどのくらい離れているかを示す。
列８  綾戻し点Ｒ３が推進線Ａ−Ｂからどのくらい離れているかを示す。
列９  現在バイアス（青色または赤色）を示す。
【０１４２】
出口シグナルは、以下の条件下で確立されることが好ましい。３棒移動平均値が任意の特定の時間にトレンドラインＣ−Ｄ（またはトレンドラインＥ−Ｆ）をを貫通した場合。出口シグナルは、推進ライン中断にて確立されることが好ましい。このような出口シグナルを判断するために、プラグイン８１２を含む金融分析ソフトウェア８０９は、安値（例えばＡ１、Ａ２およびＡ３）が増加中（すなわち高めの安値）であり、かつ、図示するようにトレンドラインＡ−Ｂにより結ぶことができる３ヵ月（連続的または非連続的）を見つけることが好ましい。トレンドラインの値は計算されることが好ましい。トレンドラインＡ−Ｂ（推進線）の値は、増加中と図７９で図示され、かつ、月単位で変動する。出口シグナルは、３棒移動平均値がいつでもトレンドラインＡ−Ｂを貫通するとき、当月の終値がトレンドラインＡ−Ｂより下方で終了したとき、または、月の始値がトレンドラインＡ−Ｂより下方で開始したときに確立される。
【０１４３】
図７９に関しては、超長期取引のトレンドを確立するより保守的な方法、つまり、３年という基準点が確立されることが好ましい。プラグイン８１２は、好ましくは３つの最も近い増加中の安値（例えば、図７９のＣ１、Ｃ２、Ｃ３）を探す。その後、プラグイン８１２は、点Ｃ１、Ｃ２、Ｃ３での安値の前に発生したさらなる高めの安値（例えば、Ｅ１、Ｅ２およびＥ３）を探すようにコンピュ−タ８０６を指示する。トレンドラインＥ−Ｆがプロットされることが好ましい。注意点として、ドロ−ダウンは堅調とすることができる。出口および入口手順および上記のプロセスは、この保守的な方法と共に使用されることが好ましい。
【０１４４】
注意記録
プラグイン８１２を含む金融分析ソフトウェア８０９は、注意を含むことが好ましい。の時点で、プラグイン８１２を含む金融分析ソフトウェア８０９は、全ての注意についてログファイルを確立することが好ましい。作成されたログファイルは、市場チャ−トの「ファイル」セクションの選択肢として利用可能であることが好ましく、作成されたログファイルにより、ユ−ザ−は、全ての一般的な通貨から通貨を選択することができる。注意のログファイルは、最近の２４時間以内に生じた全ての注意を含むことが好ましい。ログファイルは、コンマで区切られたフォ−マットであることが好ましい。さらに、ユ−ザ−は、少なくとも最近６ヵ月に、好ましくは前年に発生した注意を閲覧することができることが好ましい。ユ−ザ−はユ−ザ−が注意を見たいと思うる日付を定義することができることが好ましい。ログの詳細としては、注意、注意の時間、注意メッセ−ジ、通貨名、アライメントの形式、例えば、強気または弱気、アライメントの詳細（６６０／４８０／、１２０／５の色つき、赤色または緑色）があることが好ましい。なお、たとえアライメントが期限切れになっても、ログは変わるべきではないことが好ましい。
以下の注意は、金融分析ソフトウェア用プラグイン８１２を含む金融分析ソフトウェア８０９により追加かつ定義されることが好ましい。
【０１４５】
前日確認指標
図８２、図８３、図８４および図８５は、本発明の好適な実施形態による、前日確認指標を示すスクリ−ンショットを示す。図８２は、前日確認指標８２００を有する５分チャ−トを示す。前日確認指標を有する６０分チャ−トを図８４に示す。前日確認指標を有する１５分チャ−トを図８５に示す。前日確認指標は、図８３に示すようにピボットと結合することができることが好ましい。任意の市場ビ−クルの４本値は、単独で、ならびに、過去の発生に比較したときに重要な地位となるものである。プラグイン８１２を含む金融分析ソフトウェア８０９は、ユ−ザ−に表示する指標線、つまり、前日の４本値を示す線を計算しかつ自動的に引く指標を含むことが好ましい。これらの線は、日内市場チャ−ト（好ましくは足チャ−トに対する５分チャ−トにて）上に自動的にプロットされることが好ましい。適当な状況下で、この指標は、１分チャ−トまたは処理チャ−ト上でなど任意の所望の表示期間にて使用することができる。以下の式は、この指標に使用されることが好ましい。
Ａ ＝ Ｌａｓｔ Ｖａｌｕｅ (Ｈｉｇｈｅｓｔ(Ｓｕｍ(ＤａｙＯｆＷｅｅｋ０＜＞ＶａｌｕｅＷｈｅｎ (４.１) (２, １ ,ＤａｙＯｆＷｅｅｋ０),５)=５ 
Ｘ ＝ ＤａｙＯｆＭｏｎｔｈ０＜＞ＶａｌｕｅＷｈｅｎ(２−Ａ,１,ＤａｙＯｆＭｏｎｔｈ０) (４.２) 
OＲ Ａ
Ｄｏ ＝ ＶａｌｕｅＷｈｅｎ (２−Ａ,Ｘ,０) (４.３)
Ｄｈ ＝ ＶａｌｕｅＷｈｅｎ (１,Ｘ,ＶａｌｕｅＷｈｅｎ (２−Ａ,１,ＨｉｇｈｅｓｔＳｉｎｃｅ ( １ ,Ｘ,Ｈ)))    (４.４) 
Ｄｈ＝ＶａｌｕｅＷｈｅｎ( １ ,Ｄｈ＞０,Ｄｈ)    (４.５) 
Ｄｌ:＝ＶａｌｕｅＷｈｅｎ(１,Ｘ,ＶａｌｕｅＷｈｅｎ(２− Ａ, １ ,ＬｏｗｅｓｔＳｉｎｃｅ( １ ,Ｘ,Ｌ)))   (４.６) 
Ｄｌ:＝ＶａｌｕｅＷｈｅｎ(1,Ｄｌ＞０,Ｄ1) (４.７)
Ｄｃ:=ＶａｌｕｅＷｈｅｎ( 1 ,Ｘ,ＶａｌｕｅＷｈｅｎ(２−Ａ, １ ,Ｃ))     (４.８)
Ｄｏ; {Ｄａｉｌｙ ＯＰＥＮ}    (４.９) 
Ｄｈ; {Ｄａｉｌｙ ＨＩＧＨ}    (４.１０) 
Ｄｉ; {Ｄａｉｌｙ ＬＯＷ}    (４.１１) 
Ｄｃ; {Ｄａｉｌｙ ＣＬＯＳＥ}    (４.１２)
【０１４６】
上記の式は、暦日、商品の契約満了日、日曜日始開値から東部標準時午後４時４６分での金曜日終値についてのいずれかまたはすべてについて変更することができることが好ましい。
上記の式の結果は、５分の図表上でプロットされることが好ましい。この指標の好適な色方式は、淡青色の昨日高値、深紫色の昨日終値、金色の昨日始値、緑色の昨日安値を含む。上記の各々の重みおよびスタイルは、１という値を有することが好ましい。
上記の指標に加えて、以下の注意が確立されることが好ましい。
注意１．通貨または市場ビ−クル相場が昨日の終り値を貫通する注意。
注意２．値が昨日高値を貫通して１０ｐｉｐ（強気)の範囲内で来たときの注意。
注意３．今日の値が昨日安値を貫通して１０ｐｉｐ（弱気)の範囲内で来たときの注意。
注意４．今日の値が昨日始値を下回ったときの注意。    
注意５．売り矢印が昨日終値の両側で２０ｐｉｐ内で昨日終値を下回って生成される。
注意６．買い矢印が昨日始値から２０ｐｉｐ以内でを生成する注意。
注意７．買い矢印が昨日終値から２０ｐｉｐ以内に来たときの注意。
注意８．買い矢印が昨日安値から２０ｐｉｐ以内に来たときの注意。
注意９．買い矢印が昨日始値から２０ｐｉｐ以内に来たときの注意。
注意１０．売り矢印が昨日高値から２０ｐｉｐ以内に来たときの注意。
【０１４７】
さらに、以下のエクプロ−ラが、金融分析ソフトウェア用プラグイン８１２を含む金融分析ソフトウェア８０９内に確立されることが好ましい。
エクスプロ−ラ−１．  ５分の終値が昨日の終値を貫通しているときに全ての通貨を見つける
エクスプロ−ラ−２．  通貨の終値が昨日高値を貫通して１０ｐｉｐの範囲内に来たときに全ての通貨を見つける。
エクスプロ−ラ−３．  ５分の現在の終値が１０ｐｉｐ内の昨日安値を貫通したときに全ての通貨を見つける。
エクスプロ−ラ−４．  ５分チャ−トの現在の価格が昨日始値を下回ったときに通貨を見つける。
エクスプロ−ラ−５．  ５分の売り矢印が昨日終値の両側の上で２０のｐｉｐ以内の昨日終値を下回っているときに通貨を見つける。
エクスプロ−ラ−６．  買い矢印が昨日始値値の２０ｐｉｐ以内で５分上に生成されたときに通貨を見つける。
エクスプロ−ラ−７．  買い矢印が昨日終値から２０ｐｉｐ以内に来たときに通貨を見つける。
エクスプロ−ラ−８．  買い矢印が昨日安値から２０ｐｉｐ以内に来たときに通貨を見つける。
エクスプロ−ラ−９．  買い矢印が昨日始値から２０ｐｉｐ以内に来たときに通貨を見つける。
エクスプロ−ラ−１０．  売り矢印が昨日高値から２０ｐｉｐ以内に来たときに通貨を見つける。
【０１４８】
アライメント表
金融分析用プラグイン８１２を含む金融分析ソフトウェア８０９は、少なくとも１つの取引セットアップ、すなわち、ユ−ザ−が取り引きするのを支援する少なくとも１つの指標でコンピュ−タ８０６の表示１１０を構成する命令を有するファイルを含むことが好ましい。これらのセットアップは、特定の取引方法のセットアップでいらいらするようになるのではなくトレ−ダ−が取り引きを開始することができるようにトレ−ダ−に供給される。複数のチャ−ト形式が供給され、かつ、トレ−ダ−により使用可能であることが好ましい。
【０１４９】
図８１Ａ、図８１Ｂおよび図８１Ｃは、本発明の好適な実施形態によるアライメント表を示すスクリ−ンショットを示す。プラグイン８１２および金融分析ソフトウェア８０９は、図８１Ａおよび図８１Ｂに示すように表書式の説明ウィンドウ情報を表示することが好ましい。
【０１５０】
このスクリ−ンショットは、本質的には表形式の先述した説明ウインドウである。この表は、エクスポ−ト可能なフォ−マット書式（コンマで区切られたフォ−マット)であることが好ましい。スクリ−ンショットのセルのゼロは、確認された動きの確認を示す。図８１Ａおよび図８１Ｂのアライメント表を用いて、トレ−ダ−は、図８１Ａおよび図８１Ｂのデ−タは時間が進むにつれて更新されるので市場ビ−クルがどのようにリアルタイムで一定期間にわたって進歩しているかについて視覚的に知ることができる。図８１Ｃは、市場チャ−ト書式で図８１Ａおよび図８１Ｂのデ−タを示すと共にトレンド変化を示す。
【０１５１】
出願人が本発明の出願人の好適な実施形態を説明したが、本発明の最も広い範囲は種々の改変を含むことが理解されよう。このような範囲は、上記の明細書に関連して読まれる下記の添付の特許請求の範囲によってのみ限定される。さらに、出願人の本発明の多くの他の利点は、上記の説明および以下の請求項から当業者に明らかになろう。
【図１】
2010536104.tif 000003
【図２】
2010536104.tif 000004
【図３】
2010536104.tif 000005
【図４】
2010536104.tif 000006
【図５】
2010536104.tif 000007
【図６】
2010536104.tif 000008
【図７】
2010536104.tif 000009
【図８】
2010536104.tif 000010
【図９】
2010536104.tif 000011
【図１０】
2010536104.tif 000012
【図１１】
2010536104.tif 000013
【図１２】
2010536104.tif 000014
【図１３】
2010536104.tif 000015
【図１４】
2010536104.tif 000016
【図１５】
2010536104.tif 000017
【図１６】
2010536104.tif 000018
【図１７Ａ】
2010536104.tif 000019
【図１７Ｂ】
2010536104.tif 000020
【図１８】
2010536104.tif 000021
【図１９】
2010536104.tif 000022
【図２０Ａ】
2010536104.tif 000023
【図２０Ｂ】
2010536104.tif 000024
【図２１】
2010536104.tif 000025
【図２２】
2010536104.tif 000026
【図２３】
2010536104.tif 000027
【図２４】
2010536104.tif 000028
【図２５】
2010536104.tif 000029
【図２６Ａ】
2010536104.tif 000030
【図２６Ｂ】
2010536104.tif 000031
【図２７】
2010536104.tif 000032
【図２８】
2010536104.tif 000033
【図２９】
2010536104.tif 000034
【図３０】
2010536104.tif 000035
【図３１】
2010536104.tif 000036
【図３２Ａ】
2010536104.tif 000037
【図３２Ｂ】
2010536104.tif 000038
【図３２Ｃ】
2010536104.tif 000039
【図３３】
2010536104.tif 000040
【図３４】
2010536104.tif 000041
【図３５】
2010536104.tif 000042
【図３６】
2010536104.tif 000043
【図３７】
2010536104.tif 000044
【図３８】
2010536104.tif 000045
【図３９】
2010536104.tif 000046
【図４０】
2010536104.tif 000047
【図４１】
2010536104.tif 000048
【図４２】
2010536104.tif 000049
【図４３】
2010536104.tif 000050
【図４４】
2010536104.tif 000051
【図４５】
2010536104.tif 000052
【図４６】
2010536104.tif 000053
【図４７】
2010536104.tif 000054
【図４８】
2010536104.tif 000055
【図４９】
2010536104.tif 000056
【図５０】
2010536104.tif 000057
【図５１】
2010536104.tif 000058
【図５２】
2010536104.tif 000059
【図５３】
2010536104.tif 000060
【図５４】
2010536104.tif 000061
【図５５】
2010536104.tif 000062
【図５６】
2010536104.tif 000063
【図５７】
2010536104.tif 000064
【図５８】
2010536104.tif 000065
【図５９】
2010536104.tif 000066
【図６０】
2010536104.tif 000067
【図６１】
2010536104.tif 000068
【図６２】
2010536104.tif 000069
【図６３】
2010536104.tif 000070
【図６４】
2010536104.tif 000071
【図６５】
2010536104.tif 000072
【図６６】
2010536104.tif 000073
【図６７Ａ】
2010536104.tif 000074
【図６７Ｂ】
2010536104.tif 000075
【図６７Ｃ】
2010536104.tif 000076
【図６８】
2010536104.tif 000077
【図６９】
2010536104.tif 000078
【図７０】
2010536104.tif 000079
【図７１】
2010536104.tif 000080
【図７２】
2010536104.tif 000081
【図７３】
2010536104.tif 000082
【図７４】
2010536104.tif 000083
【図７５】
2010536104.tif 000084
【図７６】
2010536104.tif 000085
【図７７】
2010536104.tif 000086
【図７８】
2010536104.tif 000087
【図７９】
2010536104.tif 000088
【図８０】
2010536104.tif 000089
【図８１Ａ】
2010536104.tif 000090
【図８１Ｂ】
2010536104.tif 000091
【図８１Ｃ】
2010536104.tif 000092
【図８２】
2010536104.tif 000093
【図８３】
2010536104.tif 000094
【図８４】
2010536104.tif 000095
【図８５】
2010536104.tif 000096
【国際調査報告】
2010536104.tif 000097
2010536104.tif 000098